(57)【要約】【課題】右眼用画像と左眼用画像との混在が観察者に知覚されることを抑制しながら表示画像の明度を向上させる。【解決手段】複数の画素ＰIXは、複数の走査線３２および複数の信号線３４の各交差に対応して配置され、走査線３２の選択時における信号線３４の階調電位Ｘ[n]に応じた階調を表示する液晶素子ＣLを含む。各選択期間Ｈに走査線駆動回路４２が選択する２本の走査線３２に対応し信号線の延在方向に隣合う２個の画素ＰIXには、表示制御回路１４２に供給される表示データＶが当該２個の画素ＰIXの各々に指定する階調の加重平均として算出される階調に応じた階調電位Ｘ[n]が、信号線駆動回路４４より供給される。【選択図】図１
2013114143.tif 000002
【特許請求の範囲】
【請求項１】
右眼用画像と左眼用画像とを表示期間毎に交互に表示する電気光学装置であって、
交互に配列された複数の第１走査線および複数の第２走査線からなる複数の走査線と、
前記複数の走査線に交差する複数の信号線と、
前記複数の走査線と前記複数の信号線との各交差に対応して配置された複数の画素と、
右眼用画像の表示期間および左眼用画像の表示期間の各々において、
当該表示期間の第１単位期間では、前記複数の走査線のうち相互に隣合う前記第１走査線と前記第２走査線とからなる第１組の走査線を選択期間毎に順次に選択し、
前記第１単位期間の経過後の第２単位期間では、前記第１単位期間にて選択される前記第１組の走査線から１本ずれた組合せで相互に隣合う前記第１走査線と前記第２走査線とからなる第２組の走査線を選択期間毎に順次に選択する
第１駆動回路と、
前記複数の画素の各々が表示すべき階調を示す表示データが供給され、
前記選択期間の各々において前記第１駆動回路が選択する前記第１組の走査線と前記第２組の走査線とのうち、前記第１走査線に対応する第１画素に対して前記表示データが指定する階調を第１階調とし、前記第２走査線に対応する第２画素に対して前記表示データが指定する階調を第２階調としたとき、
前記第１階調と前記第２階調との加重平均として算出される階調に応じた階調電位を
前記第１画素と前記第２画素とに供給する
第２駆動回路と、
を具備することを特徴とする電気光学装置。
【請求項２】
前記加重平均の演算において、
前記第１階調に対して付与される第１重み付け係数と、前記第２階調に対して付与される第２重み付け係数とは、０よりも大きいことを特徴とする
請求項１に記載の電気光学装置。
【請求項３】
前記第１重み付け係数と、前記第２重み付け係数とは、等しい値である
ことを特徴とする
請求項２に記載の電気光学装置。
【請求項４】
前記表示データが、前記第１画素と前記第２画素とを含む所定個の画素の各々に対して指定する階調の平均値を平均階調としたとき、
前記第１階調と前記平均階調との差分が、前記第２階調と前記平均階調との差分よりも大きい場合、前記第１重み付け係数を、前記第２重み付け係数よりも大きい値に設定し、
前記第１階調と前記平均階調との差分が、前記第２階調と前記平均階調との差分よりも小さい場合、前記第１重み付け係数を、前記第２重み付け係数よりも小さい値に設定する
ことを特徴とする
請求項２に記載の電気光学装置。
【請求項５】
右眼用画像と左眼用画像とを表示期間毎に交互に表示する電気光学装置であって、
交互に配列された複数の第１走査線および複数の第２走査線からなる複数の走査線と、
前記複数の走査線に交差する複数の信号線と、
前記複数の走査線と前記複数の信号線との各交差に対応して配置された複数の画素と、
右眼用画像の表示期間および左眼用画像の表示期間の各々において、
当該表示期間の第１単位期間では、前記複数の走査線のうち相互に隣合う前記第１走査線と前記第２走査線とからなる第１組の走査線を選択期間毎に順次に選択し、
前記第１単位期間の経過後の第２単位期間では、前記第１単位期間にて選択される前記第１組の走査線から１本ずれた組合せで相互に隣合う前記第１走査線と前記第２走査線とからなる第２組の走査線を選択期間毎に順次に選択する
第１駆動回路と、
前記複数の画素の各々が表示すべき階調を示す表示データが供給され、
前記選択期間の各々において前記第１駆動回路が選択する前記第１組の走査線と前記第２組の走査線とのうち、前記第１走査線に対応する第１画素に対して前記表示データが指定する階調を第１階調とし、前記第２走査線に対応する第２画素に対して前記表示データが指定する階調を第２階調とし、前記第１画素と前記第２画素とを含む、所定個の画素の各々に対して前記表示データが指定する階調の平均値を平均階調としたとき、
前記第１階調と前記第２階調との平均値と、前記第１階調、前記第２階調、および、前記平均階調に基づいて定められる階調制御係数とを乗じた値として算出される階調に応じた階調電位を、前記第１画素と前記第２画素とに供給する
第２駆動回路と、
を具備することを特徴とする電気光学装置。
【請求項６】
前記階調制御係数は、
前記第１階調と前記平均階調との差分が、前記第２階調と前記平均階調との差分よりも大きい場合、
前記第１階調が、前記平均階調よりも大きければ、１よりも大きい値に設定され、
前記第１階調が、前記平均階調よりも小さければ、０よりも大きく１よりも小さい値に設定され、
前記第２階調と前記平均階調との差分が、前記第１階調と前記平均階調との差分よりも大きい場合、
前記第２階調が、前記平均階調よりも大きければ、１よりも大きい値に設定され、
前記第２階調が、前記平均階調よりも小さければ、０よりも大きく１よりも小さい値に設定される、
ことを特徴とする
請求項５に記載の電気光学装置。
【請求項７】
前記所定個の画素は、
前記第１画素と前記信号線の延在方向において前記第２画素とは逆側に隣合う少なくとも１以上の画素と、
前記第２画素と前記信号線の延在方向において前記第１画素とは逆側に隣合う少なくとも１以上の画素、
を含むことを特徴とする
請求項４乃至６のうちいずれか１項に記載の電気光学装置。
【請求項８】
右眼用画像と左眼用画像とを表示期間毎に交互に表示する電気光学装置であって、
交互に配列された複数の第１走査線および複数の第２走査線からなる複数の走査線と、
前記複数の走査線に交差する複数の信号線と、
前記複数の走査線と前記複数の信号線との各交差に対応して配置された複数の画素と、
右眼用画像の表示期間および左眼用画像の表示期間の各々において、
当該表示期間の第１単位期間では、前記複数の走査線のうち相互に隣合う前記第１走査線と前記第２走査線とからなる第１組の走査線を選択期間毎に順次に選択し、
前記第１単位期間の経過後の第２単位期間では、前記第１単位期間にて選択される前記第１組の走査線から１本ずれた組合せで相互に隣合う前記第１走査線と前記第２走査線とからなる第２組の走査線を選択期間毎に順次に選択する
第１駆動回路と、
前記複数の画素の各々が表示すべき階調を示す表示データが供給され、
前記選択期間の各々において前記第１駆動回路が選択する前記第１組の走査線と前記第２組の走査線とのうち、前記第１走査線に対応する第１画素に対して前記表示データが指定する階調を第１階調とし、前記第２走査線に対応する第２画素に対して前記表示データが指定する階調を第２階調としたとき、
前記第１階調と前記第２階調との差分が、所定の閾値よりも大きい場合、
前記第１階調と前記第２階調との加重平均として算出される階調に応じた階調電位を、前記第１画素と前記第２画素とに供給し、
前記第１階調と前記第２階調との差分が、所定の閾値以下の場合、
前記第１階調に応じた階調電位を、前記第１画素と前記第２画素とに供給する
第２駆動回路と、
を具備することを特徴とする電気光学装置。
【請求項９】
右眼用シャッターと左眼用シャッターとを含む立体視用眼鏡で立体視される右眼用画像および左眼用画像を表示する電気光学装置であって、
前記各表示期間のうち前記第１単位期間の少なくとも一部を含む期間にて前記右眼用シャッターおよび前記左眼用シャッターの双方を閉状態に制御し、
前記右眼用画像の各表示期間における前記第２単位期間の少なくとも一部を含む期間にて前記右眼用シャッターを開状態に制御するとともに前記左眼用シャッターを閉状態に制御し、
前記左眼用画像の各表示期間における前記第２単位期間の少なくとも一部を含む期間にて前記左眼用シャッターを開状態に制御するとともに前記右眼用シャッターを閉状態に制御する眼鏡制御回路
を具備することを特徴とする
請求項１乃至８のうちいずれか１項に記載の電気光学装置。
【請求項１０】
前記第１駆動回路は、
相前後する右眼用画像の表示期間と左眼用画像の表示期間とを含む複数の制御期間の各々において、
前記各表示期間の前記第１単位期間では、前記複数の走査線のうち相互に隣合う前記第１走査線と前記第２走査線とからなる第１組の走査線を選択期間毎に順次に選択するとともに、
前記各表示期間の前記第２単位期間では、前記第１組の走査線から１本ずれた組合せで前記複数の走査線を相互に隣合う前記第１走査線と前記第２走査線とからなる第２組の走査線を選択期間毎に順次に選択し、
前記第２駆動回路は、
前記複数の制御期間における前記各表示期間の第１制御期間では、基準電圧に対する前記階調電位の極性を、前記各表示期間の前記第１単位期間にて第１極性に設定するとともに前記各表示期間の前記第２単位期間にて前記第１極性とは逆の第２極性に設定し、
前記複数の制御期間のうち前記第１制御期間の直後の第２制御期間では、前記基準電圧に対する前記階調電位の極性を、前記各表示期間の前記第１単位期間にて前記第２極性に設定するとともに前記各表示期間の前記第２単位期間にて前記第１極性に設定する
ことを特徴とする、
請求項１乃至９のうちいずれか１項に記載の電気光学装置。
【請求項１１】
前記第１駆動回路は、
相前後する右眼用画像の表示期間と左眼用画像の表示期間とを含む複数の制御期間のうちの第１制御期間では、
前記各表示期間の前記第１単位期間において、前記複数の走査線のうち相互に隣合う前記第１走査線と前記第２走査線とからなる第１組の走査線を選択期間毎に順次に選択するとともに、前記各表示期間の前記第２単位期間において、前記第１組の走査線から１本ずれた組合せで前記複数の走査線を相互に隣合う前記第１走査線と前記第２走査線とからなる第２組の走査線を選択期間毎に順次に選択し、
前記複数の選択期間のうち前記第１制御期間の直後の第２制御期間では、
前記各表示期間の前記第１単位期間において、前記第２組の走査線を選択期間毎に順次に選択するとともに、前記各表示期間の前記第２単位期間において、前記第１組の走査線を選択期間毎に順次に選択し、
前記第２駆動回路は、
前記複数の制御期間の各々において、基準電圧に対する前記階調電位の極性を、前記各表示期間の前記第１単位期間にて第１極性に設定するとともに前記各表示期間の前記第２単位期間にて前記第１極性とは逆の第２極性に設定する、
ことを特徴とする、
請求項１乃至９のうちいずれか１項に記載の電気光学装置。
【請求項１２】
請求項１から請求項１１の何れかの電気光学装置を具備する電子機器。
【発明の詳細な説明】
【技術分野】
【０００１】
本発明は、観察者が立体感を知覚するように相互に視差が付与された右眼用画像と左眼用画像とを表示する技術に関連する。
【背景技術】
【０００２】
右眼用画像と左眼用画像とを時分割で交互に表示するフレームシーケンシャル方式の立体視方法が従来から提案されている。右眼用画像および左眼用画像の一方が他方に変化する期間では右眼用画像と左眼用画像とが混在するから、観察者が画像を視認すると明確な立体感を認識することが困難となる（クロストーク）。以上の問題を解決するために、例えば特許文献１には、右眼用画像および左眼用画像の一方が他方に変化する期間（すなわち右眼用画像と左眼用画像とが混在する期間）において立体視用眼鏡の右眼用シャッターおよび左眼用シャッターの双方を閉状態として観察者に画像を視認させない技術が開示されている。
【０００３】
具体的には、図１８に示すように、右眼用画像に対応する右眼用期間と左眼用画像に対応する左眼用期間とが交互に設定される。右眼用期間の前半期間では表示画像が左眼用画像から右眼用画像に更新されるとともに後半期間では右眼用画像が表示され、左眼用期間の前半期間では表示画像が右眼用画像から左眼用画像に更新されるとともに後半期間では左眼用画像が表示される。右眼用期間および左眼用期間の各々の前半期間では、右眼用シャッターおよび左眼用シャッターの双方が閉状態に制御される。したがって、右眼用画像と左眼用画像との混在（クロストーク）は観察者に知覚されない。
【先行技術文献】
【特許文献】
【０００４】
【特許文献１】特開２００９−２５４３６号公報
【発明の概要】
【発明が解決しようとする課題】
【０００５】
しかし、特許文献１のような右眼用画像および左眼用画像を交互に表示する立体視（３Ｄ）表示では、画像表示のフレーム周波数を平面視（２Ｄ）表示の２倍以上となるように画像信号の転送速度や駆動回路の動作速度を高速化する必要があるため、駆動回路の回路規模や製造コストが増大するという問題がある。以上の事情を考慮して、本発明は、右眼用画像と左眼用画像との混在が観察者に知覚されることを抑制しながら、動作速度の高速化を必要とせずに立体視表示を実現することを目的とする。
【課題を解決するための手段】
【０００６】
以上の課題を解決するために、本発明の電気光学装置は、右眼用画像と左眼用画像とを表示期間毎に交互に表示する電気光学装置であって、交互に配列された複数の第１走査線および複数の第２走査線からなる複数の走査線と、前記複数の走査線に交差する複数の信号線と、前記複数の走査線と前記複数の信号線との各交差に対応して配置された複数の画素と、右眼用画像の表示期間および左眼用画像の表示期間の各々において、当該表示期間の第１単位期間では、前記複数の走査線のうち相互に隣合う前記第１走査線と前記第２走査線とからなる第１組の走査線を選択期間毎に順次に選択し、前記第１単位期間の経過後の第２単位期間では、前記第１単位期間にて選択される前記第１組の走査線から１本ずれた組合せで相互に隣合う前記第１走査線と前記第２走査線とからなる第２組の走査線を選択期間毎に順次に選択する第１駆動回路と、前記複数の画素の各々が表示すべき階調を示す表示データが供給され、前記選択期間の各々において前記第１駆動回路が選択する前記第１組の走査線と前記第２組の走査線とのうち、前記第１走査線に対応する第１画素に対して前記表示データが指定する階調を第１階調とし、前記第２走査線に対応する第２画素に対して前記表示データが指定する階調を第２階調としたとき、前記第１階調と前記第２階調との加重平均として算出される階調に応じた階調電位を前記第１画素と前記第２画素とに供給する第２駆動回路と、を具備する。
【０００７】
以上の構成においては、各表示期間の第１単位期間では走査線を２本ずつ順次に選択して各画素に階調電位を供給するから、各表示期間にて走査線を１本ずつ順次に選択して各画素に階調電位を供給する構成と比較して、右眼用画像と左眼用画像とが混在する期間が短縮される。したがって、右眼用画像と左眼用画像とが混在する期間内で立体視用眼鏡の右眼用シャッターおよび左眼用シャッターの双方を閉状態に制御することで右眼用画像と左眼用画像との混在が観察者に知覚されることを抑制する場合でも、表示画像の明度を向上させることが可能である。
また、第１単位期間および第２単位期間の各々では走査線が２本ずつ選択されるから、右眼用画像および左眼用画像の画像信号の転送速度や駆動回路（走査線駆動回路および信号線駆動回路）の動作速度を平面視（２Ｄ）表示と比較して高速化する必要がない。したがって、例えば平面視画像に使用される駆動回路と同等の動作速度の駆動回路で立体視表示を実現できる（すなわち、駆動回路の回路規模や製造コストを低減できる）という利点がある。
なお、第１単位期間および第２単位期間の各々では表示画像の解像度が低下するが、第１単位期間の各選択期間では第１走査線に対応する各画素の指定階調に応じた階調電位が第１組の各画素に供給され、第１単位期間の経過後の第２単位期間の各選択期間では、第１組とは１本ずれた第２組の各画素に、第２走査線に対応する各画素の指定階調に応じた階調電位が供給される。したがって、各単位期間における表示画像の解像度の低下が観察者に知覚され難いという利点もある。
さらに、第１画素と第２画素とに対して、第１階調と第２階調との加重平均として算出される階調に応じた階調電位を供給する。これにより、ある画素が第１単位期間において指定される階調と第２単位期間において指定される階調との差異を小さくすることができる。すなわち、ある画素が第１単位期間において指定される階調と第２単位期間において指定される階調との差異を、観察者が「ちらつき」として知覚する可能性を低減させることが可能となるという利点がある。
【０００８】
また、上述した電気光学装置は、前記加重平均の演算において、前記第１階調に対して付与される第１重み付け係数と、前記第２階調に対して付与される第２重み付け係数とは、０よりも大きいことを特徴とすることが好ましい。
この発明によれば、第１画素と第２画素とに対して、第１階調と第２階調との加重平均として算出される階調に応じた階調電位を供給するため、画素が表示する階調の変化に起因する「ちらつき」を抑制することが可能となるという利点がある。
【０００９】
また、上述した電気光学装置において、前記第１重み付け係数と、前記第２重み付け係数とは、等しい値であることを特徴とすることが好ましい。
この発明によれば、第１画素と第２画素とに対して、第１階調と第２階調との平均（単純）として算出される階調に応じた階調電位を供給するため、画素が表示する階調の変化に起因する「ちらつき」を抑制することが可能となるという利点がある。
【００１０】
また、上述した電気光学装置において、前記表示データが、前記第１画素と前記第２画素とを含む所定個の画素の各々に対して指定する階調の平均値を平均階調としたとき、前記第１階調と前記平均階調との差分が、前記第２階調と前記平均階調との差分よりも大きい場合、前記第１重み付け係数を、前記第２重み付け係数よりも大きい値に設定し、前記第１階調と前記平均階調との差分が、前記第２階調と前記平均階調との差分よりも小さい場合、前記第１重み付け係数を、前記第２重み付け係数よりも小さい値に設定することを特徴とすることが好ましい。
この発明によれば、第１画素と第２画素が表示する階調を、第１画素と第２画素に対して表示データが指定する階調と、第１画素および第２画素の周囲に存在する所定個の画素に対して表示データが指定する階調との関係に基づいて制御する。これにより、表示データが示す画像に近い鮮明な画像を表示することが可能となる。
【００１１】
また、本発明の電気光学装置は、右眼用画像と左眼用画像とを表示期間毎に交互に表示する電気光学装置であって、交互に配列された複数の第１走査線および複数の第２走査線からなる複数の走査線と、前記複数の走査線に交差する複数の信号線と、前記複数の走査線と前記複数の信号線との各交差に対応して配置された複数の画素と、右眼用画像の表示期間および左眼用画像の表示期間の各々において、当該表示期間の第１単位期間では、前記複数の走査線のうち相互に隣合う前記第１走査線と前記第２走査線とからなる第１組の走査線を選択期間毎に順次に選択し、前記第１単位期間の経過後の第２単位期間では、前記第１単位期間にて選択される前記第１組の走査線から１本ずれた組合せで相互に隣合う前記第１走査線と前記第２走査線とからなる第２組の走査線を選択期間毎に順次に選択する第１駆動回路と、前記複数の画素の各々が表示すべき階調を示す表示データが供給され、前記選択期間の各々において前記第１駆動回路が選択する前記第１組の走査線と前記第２組の走査線とのうち、前記第１走査線に対応する第１画素に対して前記表示データが指定する階調を第１階調とし、前記第２走査線に対応する第２画素に対して前記表示データが指定する階調を第２階調とし、前記第１画素と前記第２画素とを含む、所定個の画素の各々に対して前記表示データが指定する階調の平均値を平均階調としたとき、前記第１階調と前記第２階調との平均値と、前記第１階調、前記第２階調、および、前記平均階調に基づいて定められる階調制御係数とを乗じた値として算出される階調に応じた階調電位を、前記第１画素と前記第２画素とに供給する第２駆動回路と、を具備することを特徴とする。
この発明によれば、第１画素と第２画素が表示する階調を、第１画素と第２画素に対して表示データが指定する階調と、第１画素および第２画素の周囲に存在する所定個の画素に対して表示データが指定する階調との関係に基づいて定められる階調制御係数により制御する。これにより、表示データが示す画像に近い鮮明な画像を表示することが可能となる。
【００１２】
また、上述した電気光学装置において、前記階調制御係数は、前記第１階調と前記平均階調との差分が、前記第２階調と前記平均階調との差分よりも大きい場合、前記第１階調が、前記平均階調よりも大きければ、１よりも大きい値に設定され、前記第１階調が、前記平均階調よりも小さければ、０よりも大きく１よりも小さい値に設定され、前記第２階調と前記平均階調との差分が、前記第１階調と前記平均階調との差分よりも大きい場合、前記第２階調が、前記平均階調よりも大きければ、１よりも大きい値に設定され、前記第２階調が、前記平均階調よりも小さければ、０よりも大きく１よりも小さい値に設定される、ことを特徴とすることが好ましい。
この発明によれば、第１画素と第２画素が表示する階調と、第１画素および第２画素の周囲に存在する所定個の画素に対して表示データが指定する階調との差異が大きくなるように階調制御係数を定める。これにより、表示データが示す画像に近い鮮明な画像を表示することが可能となる。
【００１３】
また、上述した電気光学装置において、前記所定個の画素は、前記第１画素と前記信号線の延在方向において前記第２画素とは逆側に隣合う少なくとも１以上の画素と、前記第２画素と前記信号線の延在方向において前記第１画素とは逆側に隣合う少なくとも１以上の画素、を含むことを特徴とすることが好ましい。
この発明によれば、第１画素と第２画素が表示する階調を、第１画素および第２画素の近傍に存在する所定個の画素に対して表示データが指定する階調を考慮して定めるため、鮮明な画像を表示することが可能となる。
【００１４】
また、本発明の電気光学装置は、右眼用画像と左眼用画像とを表示期間毎に交互に表示する電気光学装置であって、交互に配列された複数の第１走査線および複数の第２走査線からなる複数の走査線と、前記複数の走査線に交差する複数の信号線と、前記複数の走査線と前記複数の信号線との各交差に対応して配置された複数の画素と、右眼用画像の表示期間および左眼用画像の表示期間の各々において、当該表示期間の第１単位期間では、前記複数の走査線のうち相互に隣合う前記第１走査線と前記第２走査線とからなる第１組の走査線を選択期間毎に順次に選択し、前記第１単位期間の経過後の第２単位期間では、前記第１単位期間にて選択される前記第１組の走査線から１本ずれた組合せで相互に隣合う前記第１走査線と前記第２走査線とからなる第２組の走査線を選択期間毎に順次に選択する第１駆動回路と、前記複数の画素の各々が表示すべき階調を示す表示データが供給され、前記選択期間の各々において前記第１駆動回路が選択する前記第１組の走査線と前記第２組の走査線とのうち、前記第１走査線に対応する第１画素に対して前記表示データが指定する階調を第１階調とし、前記第２走査線に対応する第２画素に対して前記表示データが指定する階調を第２階調としたとき、前記第１階調と前記第２階調との差分が、所定の閾値よりも大きい場合、前記第１階調と前記第２階調との加重平均として算出される階調に応じた階調電位を、前記第１画素と前記第２画素とに供給し、前記第１階調と前記第２階調との差分が、所定の閾値以下の場合、前記第１階調に応じた階調電位を、前記第１画素と前記第２画素とに供給する第２駆動回路と、を具備することを特徴とする。
この発明によれば、第１階調と第２階調との差分が所定の閾値よりも大きな値を示す場合、第１階調と第２階調との加重平均として算出される階調に応じた階調電位を、第１画素と第２画素とに対して供給する。これにより、ある画素が第１単位期間において指定される階調と第２単位期間において指定される階調との差異を小さくすることができ、画素が表示する階調の変化に起因する「ちらつき」を抑制することが可能となるという利点がある。
【００１５】
また、上述した電気光学装置において、右眼用シャッターと左眼用シャッターとを含む立体視用眼鏡で立体視される右眼用画像および左眼用画像を表示する電気光学装置であって、前記各表示期間のうち前記第１単位期間の少なくとも一部を含む期間にて前記右眼用シャッターおよび前記左眼用シャッターの双方を閉状態に制御し、前記右眼用画像の各表示期間における前記第２単位期間の少なくとも一部を含む期間にて前記右眼用シャッターを開状態に制御するとともに前記左眼用シャッターを閉状態に制御し、前記左眼用画像の各表示期間における前記第２単位期間の少なくとも一部を含む期間にて前記左眼用シャッターを開状態に制御するとともに前記右眼用シャッターを閉状態に制御する眼鏡制御回路を具備することを特徴とすることが好ましい。
この発明によれば、右眼用画像と左眼用画像とが混在する期間内で立体視用眼鏡の右眼用シャッターおよび左眼用シャッターの双方を閉状態に制御することで右眼用画像と左眼用画像との混在が観察者に知覚されることを抑制することができる。
【００１６】
また、上述した電気光学装置において、前記第１駆動回路は、相前後する右眼用画像の表示期間と左眼用画像の表示期間とを含む複数の制御期間の各々において、前記各表示期間の前記第１単位期間では、前記複数の走査線のうち相互に隣合う前記第１走査線と前記第２走査線とからなる第１組の走査線を選択期間毎に順次に選択するとともに、前記各表示期間の前記第２単位期間では、前記第１組の走査線から１本ずれた組合せで前記複数の走査線を相互に隣合う前記第１走査線と前記第２走査線とからなる第２組の走査線を選択期間毎に順次に選択し、前記第２駆動回路は、前記複数の制御期間における前記各表示期間の第１制御期間では、基準電圧に対する前記階調電位の極性を、前記各表示期間の前記第１単位期間にて第１極性に設定するとともに前記各表示期間の前記第２単位期間にて前記第１極性とは逆の第２極性に設定し、前記複数の制御期間のうち前記第１制御期間の直後の第２制御期間では、前記基準電圧に対する前記階調電位の極性を、前記各表示期間の前記第１単位期間にて前記第２極性に設定するとともに前記各表示期間の前記第２単位期間にて前記第１極性に設定することを特徴とすることが好ましい。
この発明によれば、右眼用画像または左眼用画像の指定階調に応じた階調電位が正極性に設定される時間長と負極性に設定される時間長とが均等化されるから、画素に対する直流電圧の印加を抑制できるという利点がある。
【００１７】
また、上述した電気光学装置において、前記第１駆動回路は、相前後する右眼用画像の表示期間と左眼用画像の表示期間とを含む複数の制御期間のうちの第１制御期間では、前記各表示期間の前記第１単位期間において、前記複数の走査線のうち相互に隣合う前記第１走査線と前記第２走査線とからなる第１組の走査線を選択期間毎に順次に選択するとともに、前記各表示期間の前記第２単位期間において、前記第１組の走査線から１本ずれた組合せで前記複数の走査線を相互に隣合う前記第１走査線と前記第２走査線とからなる第２組の走査線を選択期間毎に順次に選択し、前記複数の選択期間のうち前記第１制御期間の直後の第２制御期間では、前記各表示期間の前記第１単位期間において、前記第２組の走査線を選択期間毎に順次に選択するとともに、前記各表示期間の前記第２単位期間において、前記第１組の走査線を選択期間毎に順次に選択し、前記第２駆動回路は、前記複数の制御期間の各々において、基準電圧に対する前記階調電位の極性を、前記各表示期間の前記第１単位期間にて第１極性に設定するとともに前記各表示期間の前記第２単位期間にて前記第１極性とは逆の第２極性に設定する、ことを特徴とすることが好ましい。
この発明によれば、右眼用画像または左眼用画像の指定階調に応じた階調電位が正極性に設定される時間長と負極性に設定される時間長とが均等化されるから、画素に対する直流電圧の印加を抑制できるという利点がある。また、階調電位の極性が単位期間毎に反転されるから、階調電位の極性の相違に起因したフリッカが観察者に知覚され難いという利点がある。
【００１８】
以上の各態様に係る電気光学装置は表示体として各種の電子機器に採用される。例えば、以上の各態様に係る電気光学装置と、眼鏡制御回路が制御する立体視用眼鏡とを具備する立体視表示装置が、本発明の電子機器として例示される。
【図面の簡単な説明】
【００１９】
【図１】本発明の第１実施形態に係る立体視表示装置のブロック図である。
【図２】画素回路の回路図である。
【図３】立体視表示装置の動作の説明図である。
【図４】走査線駆動回路の動作の説明図である。
【図５】表示データと立体表示装置が表示する階調とを表した説明図である。
【図６】観察者が知覚する階調を表した説明図である。
【図７】対比例１の動作の説明図である。
【図８】対比例１に係る立体表示装置に供給される表示データと表示する階調とを表した説明図である。
【図９】対比例１において観察者が知覚する階調を表した説明図である。
【図１０】第２実施形態の動作の説明図である。
【図１１】対比例２の動作の説明図である。
【図１２】変形例３に係る立体表示装置に供給される表示データと表示する階調とを表した説明図である。
【図１３】変形例４に係る立体表示装置に供給される表示データと表示する階調とを表した説明図である。
【図１４】変形例４において観察者が知覚する階調を表した説明図である。
【図１５】電子機器（投射型表示装置）の斜視図である。
【図１６】電子機器（パーソナルコンピュータ）の斜視図である。
【図１７】電子機器（携帯電話機）の斜視図である。
【図１８】従来の技術における立体視動動作の説明図である。
【発明を実施するための形態】
【００２０】
＜第１実施形態＞
図１は、本発明の第１実施形態に係る立体視表示装置１００のブロック図である。立体視表示装置１００は、観察者に立体感を知覚させる立体視画像をアクティブシャッター方式で表示する電子機器であり、電気光学装置１０と立体視用眼鏡２０とを具備する。電気光学装置１０は、相互に視差が付与された右眼用画像ＧRと左眼用画像ＧLとを時分割で交互に表示する。
【００２１】
立体視用眼鏡２０は、電気光学装置１０が表示する立体視画像の視認時に観察者が装着する眼鏡型の器具であり、観察者の右眼の前方に位置する右眼用シャッター２２と左眼の前方に位置する左眼用シャッター２４とを具備する。右眼用シャッター２２および左眼用シャッター２４の各々は、照射光を透過させる開状態（透過状態）と照射光を遮断する閉状態（遮光状態）とに制御される。例えば印加電圧に応じて液晶の配向方向を変化させることで開状態および閉状態の一方から他方に変化する液晶シャッターが右眼用シャッター２２および左眼用シャッター２４として採用され得る。
【００２２】
図１の電気光学装置１０は、電気光学パネル１２と制御回路１４とを具備する。電気光学パネル１２は、複数の画素（画素回路）ＰIXが配列された画素部３０と、各画素ＰIXを駆動する駆動回路４０とを含む。画素部３０には、ｘ方向に延在するＭ本の走査線３２と、ｘ方向に交差するｙ方向に延在するＮ本の信号線３４とが形成される（ＭおよびＮは自然数）。画素部３０内の複数の画素ＰIXは、走査線３２と信号線３４との各交差に対応して縦Ｍ行×横Ｎ列の行列状に配列される。
【００２３】
駆動回路４０は、走査線駆動回路４２と信号線駆動回路４４とを具備する。走査線駆動回路４２は、各走査線３２に対応する走査信号Ｙ[1]〜Ｙ[M]の供給で各走査線３２を順次に選択する。走査信号Ｙ[m]（ｍ＝１〜Ｍ）が所定の選択電位に設定されることで第ｍ行の走査線３２が選択される。信号線駆動回路４４は、走査線駆動回路４２による走査線３２の選択に同期してＮ本の信号線３４の各々に階調電位Ｘ[1]〜Ｘ[N]を供給する。階調電位Ｘ[n]（ｎ＝１〜Ｎ）は、画像信号Ｇ（右眼用画像ＧR、左眼用画像ＧL）が各画素ＰIXに指定する階調に応じて可変に設定される。所定の基準電位に対する階調電位Ｘ[n]の極性は周期的に反転する。
【００２４】
図２は、各画素ＰIXの回路図である。図２に示すように、各画素ＰIXは、液晶素子ＣLと選択スイッチＳWとを含む。液晶素子ＣLは、相互に対向する画素電極６２および共通電極６４と両電極間の液晶６６とで構成された電気光学素子である。画素電極６２と共通電極６４との間の印加電圧に応じて液晶６６の透過率（表示階調）が変化する。選択スイッチＳWは、走査線３２にゲートが接続されたＮチャネル型の薄膜トランジスターで構成され、液晶素子ＣLと信号線３４との間に介在して両者の電気的な接続（導通／絶縁）を制御する。走査信号Ｙ[m]が選択電位に設定されることで第ｍ行の各画素ＰIXにおける選択スイッチＳWが同時にオン状態に遷移する。各画素ＰIX（液晶素子ＣL）は、選択スイッチＳWがオン状態に制御されたとき（すなわち走査線３２の選択時）の信号線３４の階調電位Ｘ[n]に応じた階調を表示する。なお、液晶素子ＣLに並列に補助容量を接続した構成も採用され得る。
【００２５】
図１の制御回路１４は、電気光学パネル１２を制御する表示制御回路１４２と、立体視用眼鏡２０を制御する眼鏡制御回路１４４を具備する。なお、表示制御回路１４２と眼鏡制御回路１４４とを単体の集積回路に搭載した構成や、表示制御回路１４２と眼鏡制御回路１４４とを別体の集積回路に分散した構成が採用され得る。
表示制御回路１４２には、各画素ＰIXの階調を指定する表示データＶが、外部回路から供給される。表示制御回路１４２は、表示データＶに基づいて画像信号Ｇ（右眼用画像ＧR，左眼用画像ＧL）を生成する。具体的には、表示制御回路１４２は、遅延回路と、演算回路とを備える。遅延回路は、表示データＶを１水平走査期間に相当する期間だけ遅延させ、これを出力する。従って、遅延回路からの出力は、表示データＶが階調を指定する画素ＰIXとｙ方向に隣接する画素ＰIXの階調を指定するデータとなる。演算回路は、表示データＶと、遅延回路からの出力とを平均（または加重平均）する演算を実行し、演算結果を画像信号Ｇとして出力する。
また、表示制御回路１４２は、相互に視差が付与された右眼用画像ＧRと左眼用画像ＧLとが時分割で画素部３０に表示されるように駆動回路４０を制御する。具体的には、表示制御回路１４２は、駆動回路４０が以下の動作を実行するように駆動回路４０を制御する。
【００２６】
図３は、電気光学装置１０の動作の説明図である。電気光学装置１０の動作期間は、複数の制御期間Ｔ（Ｔ1，Ｔ2）に区分される。制御期間Ｔ1と制御期間Ｔ2とは時間軸上で交互に配列する。各制御期間Ｔ（Ｔ1，Ｔ2）は、所定長の２個の表示期間Ｐ（右眼用表示期間ＰRおよび左眼用表示期間ＰL）に区分される。右眼用表示期間ＰRでは画素部３０に右眼用画像ＧRが表示され、左眼用表示期間ＰLでは画素部３０に左眼用画像ＧLが表示される。右眼用表示期間ＰRと左眼用表示期間ＰLとは時間軸上で交互に配列する。すなわち、相前後する２個の表示期間Ｐ（右眼用表示期間ＰRと左眼用表示期間ＰLとの組）で１個の制御期間Ｔ（Ｔ1，Ｔ2）が構成される。各表示期間Ｐ（ＰR，ＰL）は、相等しい時間長の２個の単位期間Ｕ（Ｕ1，Ｕ2）に区分される。単位期間Ｕ2は単位期間Ｕ1に後続する。
【００２７】
図４は、各表示期間Ｐ（ＰR，ＰL）での走査線駆動回路４２（第１駆動回路）の動作の説明図である。図４に示すように、各表示期間Ｐの単位期間Ｕ1では、走査線駆動回路４２は、Ｍ本の走査線３２を相互に隣合う２本ずつ区分した複数の組（以下「第１組」という）の各々を選択期間Ｈ毎に順次に選択する。第１組は、偶数行（第(2k)行）の１本の走査線３２と、その走査線３２に対してｙ方向の負側に隣合う奇数行（第(2k-1)行）の１本の走査線３２とで構成される（ｋは自然数）。
走査線駆動回路４２は、単位期間Ｕ1内の１個の選択期間Ｈにて走査信号Ｙ[2k-1]および走査信号Ｙ[2k]を選択電位に設定することで第１組の２本の走査線３２を同時に選択する。例えば、単位期間Ｕ1内の第１番目の選択期間Ｈでは第１行および第２行の２本の走査線３２が同時に選択され、単位期間Ｕ1内の第２番目の選択期間Ｈでは第３行および第４行の２本の走査線３２が同時に選択される。
【００２８】
各表示期間Ｐの単位期間Ｕ2では、走査線駆動回路４２は、第１組とは異なる組合せでＭ本の走査線３２を相互に隣合う２本ずつ区分した複数の組（以下「第２組」という）の各々を選択期間Ｈ毎に順次に選択する。第２組は、偶数行（第(2k)行）の１本の走査線３２と、その走査線３２に対してｙ方向の正側に隣合う奇数行（第(2k+1)行）の１本の走査線３２とで構成される。すなわち、第１組と第２組とは、走査線３２の１本分だけｙ方向にずれた関係にある。
走査線駆動回路４２は、単位期間Ｕ2内の１個の選択期間Ｈにて走査信号Ｙ[2k]および走査信号Ｙ[2k+1]を選択電位に設定することで第２組の２本の走査線３２を同時に選択する。例えば、単位期間Ｕ2内の第１番目の選択期間Ｈでは第２行および第３行の２本の走査線３２が同時に選択され、単位期間Ｕ2内の第２番目の選択期間Ｈでは第４行および第５行の２本の走査線３２が同時に選択される。第１実施形態での説明では便宜的に、単位期間Ｕ2内で第１行目および第Ｍ行目の走査線３２が選択されない場合を例示するが、単位期間Ｕ2にて第１行目および第Ｍ行目の走査線３２を選択することも可能である。
なお、以下において、奇数行の各走査線３２を第１走査線と称し、偶数行の各走査線３２を第２走査線と称する場合がある。また、ｙ方向に相互に隣合う２個の画素ＰIXのうち、奇数行の画素ＰIXを第１画素と称し、偶数行の画素ＰIXを第２画素と称する場合がある。
【００２９】
信号線駆動回路４４は、右眼用画像ＧRの画像信号に応じた階調電位Ｘ[1]〜Ｘ[N]を右眼用表示期間ＰR内の選択期間Ｈ毎に順次に各信号線３４に供給し、左眼用画像ＧLの画像信号に応じた階調電位Ｘ[1]〜Ｘ[N]を左眼用表示期間ＰL内の選択期間Ｈ毎に順次に各信号線３４に供給する。
すなわち、表示制御回路１４２および信号線駆動回路４４は、外部回路から供給される表示データＶに基づいて階調電位Ｘ[n]を生成し、階調電位Ｘ[n]を各信号線３４に供給する、第２駆動回路として機能する。
【００３０】
図３には、所定の基準電位（例えば共通電極６４の電位）に対する各階調電位Ｘ[n]の極性（書込極性）の時間変化が図示されている。階調電位Ｘ[n]は液晶素子ＣLの画素電極６２に供給されるから、図３に例示された極性は、液晶素子ＣLに対する印加電圧の極性と同視され得る。
【００３１】
図３に示すように、信号線駆動回路４４は、各制御期間Ｔ内で単位期間Ｕ（Ｕ1，Ｕ2）毎に階調電位Ｘ[n]の極性を反転させ、かつ、相前後する各制御期間Ｔでは各単位期間Ｕでの階調電位Ｘ[n]を逆極性に設定する。具体的には、制御期間Ｔ1では、階調電位Ｘ[n]の極性は、各表示期間Ｐ（ＰR，ＰL）の単位期間Ｕ1にて正極性(+)に設定されるとともに各表示期間Ｐの単位期間Ｕ2にて負極性(-)に設定される。他方、制御期間Ｔ1の直後の制御期間Ｔ2では、階調電位Ｘ[n]の極性は、各表示期間Ｐ（ＰR，ＰL）の単位期間Ｕ1にて負極性(-)に設定されるとともに各表示期間Ｐの単位期間Ｕ2にて正極性(+)に設定される。
【００３２】
表示データＶ（右眼用表示データＶR，左眼用表示データＶL）、画像信号Ｇ（右眼用画像ＧR，左眼用画像ＧL）、および階調電位Ｘ[n]との関係を以下に説明する。
なお、以下では、表示データＶのうち右眼用表示データＶRが第ｍ行第ｎ列の画素ＰIXに指定する階調を階調ＶR[m][n]と表し、表示データＶのうち左眼用表示データＶLが第ｍ行第ｎ列の画素ＰIXに指定する階調を階調ＶL[m][n]と表し、右眼用画像ＧRの画像信号Ｇが第ｍ行第ｎ列の画素ＰIXに指定する階調を階調ＧR[m][n]と表し、左眼用画像ＧLの画像信号Ｇが第ｍ行第ｎ列の画素ＰIXに指定する階調を階調ＧL[m][n]と表す。
【００３３】
各制御期間Ｔ（Ｔ1，Ｔ2）内の右眼用表示期間ＰRの単位期間Ｕ1のうち、第１組を構成する第(2k-1)行および第(2k)行の２本の走査線３２が選択される選択期間Ｈにおいて、右眼用画像ＧRが第(2k-1)行第ｎ列の画素ＰIXに指定する階調ＧR[2k-1][n]は、右眼用表示データＶRが第(2k-1)行第ｎ列の画素ＰIX（第１画素）に指定する階調ＶR[2k-1][n]（第１階調）と、右眼用表示データＶRが第(2k)行第ｎ列の画素ＰIX（第２画素）に指定する階調ＶR[2k][n]（第２階調）との加重平均として算出される。そして、当該選択期間Ｈにおいて、信号線駆動回路４４は、階調ＧR[2k-1][1]〜ＧR[2k-1][N]に応じた階調電位Ｘ[1]〜Ｘ[Ｎ]を、Ｎ本の信号線３４の各々に供給する。したがって、図３の部分(R1)に示す通り、第１組を構成する第(2k-1)行および第(2k)行の各画素ＰIXのうち第ｎ列の２個の画素ＰIXには、右眼用画像ＧRの画像信号Ｇが第(2k-1)行第n列の画素ＰIXに指定する階調ＧR[2k-1][n]に応じた階調電位Ｘ[n]が共通に供給される。
【００３４】
より具体的には、階調ＧR[2k-1][n]は、以下の式（１）により決定される。
ＧR[2k-1][n]
＝｛（ｗ2k-1×ＶR[2k-1][n]）＋（ｗ2k×ＶR[2k][n]）｝／｛ｗ2k-1＋ｗ2k｝  …  式（１）
ここで、式（１）に現れる重み付け係数ｗ2k-1（第１重み付け係数）およびｗ2k（第２重み付け係数）は、「０」よりも大きな実数であればどのような値であってもよい。本実施形態では、重み付け係数ｗ2k-1およびｗ2kは等しい値、例えば「１」に設定される。すなわち、本実施形態では、階調ＧR[2k-1][n]は、階調ＶR[2k-1]と階調ＶR[2k]との単純平均（相加平均）として算出される。
なお、式（１）の右辺の演算結果が整数とならない場合、階調ＧR[2k-1][n]は、式（１）の右辺の演算結果に対して、小数点以下を四捨五入または切り捨て等の演算を更に実行することで算出すればよい。
【００３５】
例えば、単位期間Ｕ1内の第１番目の選択期間Ｈにおいて、右眼用表示データＶRが第１行第ｎ列の画素ＰIXに指定する階調ＶR[1][n]と、右眼用表示データＶRが第２行第ｎ列の画素ＰIXに指定する階調ＶR[2][n]との平均として算出される階調ＧR[1][n]に応じた階調電位Ｘ[n]が、第１行第ｎ列および第２行第ｎ列の２個の画素ＰIXに共通に供給される。また、単位期間Ｕ1内の第２番目の選択期間Ｈにおいて、右眼用表示データＶRが第３行第ｎ列の画素ＰIXに指定する階調ＶR[3][n]と、右眼用表示データＶRが第４行第ｎ列の画素ＰIXに指定する階調ＶR[4][n]との平均として算出される階調ＧR[3][n]に応じた階調電位Ｘ[n]が、第３行第ｎ列および第４行第ｎ列の２個の画素ＰIXに共通に供給される。
以上のように単位期間Ｕ1では、ｙ方向に相互に隣合う２個の画素ＰIXに共通の階調電位Ｘ[n]が供給されるから、右眼用表示期間ＰRの単位期間Ｕ1が終了する時点では、ｙ方向の解像度を半分に低下させた右眼用画像ＧRが画素部３０に表示される。
【００３６】
各制御期間Ｔ（Ｔ1，Ｔ2）内の右眼用表示期間ＰRの単位期間Ｕ2のうち、第２組を構成する第(2k)行および第(2k+1)行の２本の走査線３２が選択される選択期間Ｈにおいて、右眼用画像ＧRが第(2k)行第ｎ列の画素ＰIXに指定する階調ＧR[2k][n]は、右眼用表示データＶRが第(2k+1)行第ｎ列の画素ＰIX（第１画素）に指定する階調ＶR[2k+1][n]（第１階調）と、右眼用表示データＶRが第(2k)行第ｎ列の画素ＰIX（第２画素）に指定する階調ＶR[2k][n]（第２階調）との加重平均として算出される。そして、当該選択期間Ｈにおいて、信号線駆動回路４４は、階調ＧR[2k][1]〜ＧR[2k][N]に応じた階調電位Ｘ[1]〜Ｘ[Ｎ]を、Ｎ本の信号線３４の各々に供給する。したがって、図３の部分(R2)に示す通り、第２組を構成する第(2k)行および第(2k+1)行の各画素ＰIXのうち第ｎ列の２個の画素ＰIXには、右眼用画像ＧRの画像信号Ｇが第(2k)行第n列の画素ＰIXに指定する階調ＧR[2k][n]に応じた階調電位Ｘ[n]を共通に供給される。より具体的には、階調ＧR[2k][n]は、以下の式（２）により決定される。
ＧR[2k][n]
＝｛（ｗ2k×ＶR[2k][n]）＋（ｗ2k+1×ＶR[2k+1][n]）｝／｛ｗ2k＋ｗ2k+1｝  …  式（２）
ここで、式（２）に現れる重み付け係数ｗ2k+1（第１重み付け係数）およびｗ2k（第２重み付け係数）は、「０」よりも大きな実数であればどのような値であってもよい。本実施形態では、重み付け係数ｗ2kおよびｗ2k+1は等しい値、例えば「１」に設定される。
【００３７】
例えば、単位期間Ｕ2内の第１番目の選択期間Ｈにおいて、右眼用表示データＶRが第２行第ｎ列の画素ＰIXに指定する階調ＶR[2][n]と、右眼用表示データＶRが第３行第ｎ列の画素ＰIXに指定する階調ＶR[3][n]との平均として算出される階調ＧR[2][n]に応じた階調電位Ｘ[n]が、第２行第ｎ列および第３行第ｎ列の２個の画素ＰIXに共通に供給される。また、単位期間Ｕ2内の第２番目の選択期間Ｈにおいて、右眼用表示データＶRが第４行第ｎ列の画素ＰIXに指定する階調ＶR[4][n]と、右眼用表示データＶRが第５行第ｎ列の画素ＰIXに指定する階調ＶR[5][n]との平均として算出される階調ＧR[4][n]に応じた階調電位Ｘ[n]が、第４行第ｎ列および第５行第ｎ列の２個の画素ＰIXに共通に供給される。
以上のように単位期間Ｕ2では、ｙ方向に相互に隣合う２個の画素ＰIXに共通の階調電位Ｘ[n]が供給されるから、右眼用表示期間ＰRの単位期間Ｕ2が終了する時点では、ｙ方向の解像度を半分に低下させた右眼用画像ＧRが画素部３０に表示される。
なお、単位期間Ｕ2にて第１行および第Ｍ行を選択する構成では、例えば第１行および第Ｍ行が選択される選択期間Ｈにて所定電位（例えば中間調に対応する電位）の階調電位Ｘ[n]が各信号線３４に供給される。
【００３８】
各制御期間Ｔ（Ｔ1，Ｔ2）の左眼用表示期間ＰLでは右眼用表示期間ＰR内と同様の動作が実行される。
すなわち、図３の部分(L1)に示す通り、各制御期間Ｔ（Ｔ1，Ｔ2）内の左眼用表示期間ＰLの単位期間Ｕ1のうち、第１組を構成する第(2k-1)行および第(2k)行の２本の走査線３２が選択される選択期間Ｈにおいて、左眼用画像ＧLが第(2k-1)行第ｎ列の画素ＰIXに指定する階調ＧL[2k-1][n]は、左眼用表示データＶLが第(2k-1)行第ｎ列の画素ＰIX（第１画素）に指定する階調ＶL[2k-1][n]（第１階調）と、左眼用表示データＶLが第(2k)行第ｎ列の画素ＰIX（第２画素）に指定する階調ＶL[2k][n]（第２階調）との加重平均として算出される。そして、当該選択期間Ｈにおいて、信号線駆動回路４４は、階調ＧL[2k-1][1]〜ＧL[2k-1][N]に応じた階調電位Ｘ[1]〜Ｘ[Ｎ]を、Ｎ本の信号線３４の各々に供給する。したがって、第１組を構成する第(2k-1)行および第(2k)行の各画素ＰIXのうち第ｎ列の２個の画素ＰIXには、左眼用画像ＧLの画像信号Ｇが第(2k-1)行第n列の画素ＰIXに指定する階調ＧL[2k-1][n]に応じた階調電位Ｘ[n]が共通に供給される。より具体的には、階調ＧL[2k-1][n]は、以下の式（３）により決定される。
ＧL[2k-1][n]
＝｛（ｗ2k-1×ＶL[2k-1][n]）＋（ｗ2k×ＶL[2k][n]）｝／｛ｗ2k-1＋ｗ2k｝  …  式（３）
ここで、式（３）に現れる重み付け係数ｗ2k-1（第１重み付け係数）およびｗ2k（第２重み付け係数）は、「０」よりも大きな実数であればどのような値であってもよい。本実施形態では、重み付け係数ｗ2k-1およびｗ2kは等しい値、例えば「１」に設定される。
また、図３の部分(L2)に示す通り、各制御期間Ｔ（Ｔ1，Ｔ2）内の左眼用表示期間ＰLの単位期間Ｕ2のうち、第２組を構成する第(2k)行および第(2k+1)行の２本の走査線３２が選択される選択期間Ｈにおいて、左眼用画像ＧLが第(2k)行第ｎ列の画素ＰIXに指定する階調ＧL[2k][n]は、左眼用表示データＶLが第(2k+1)行第ｎ列の画素ＰIX（第１画素）に指定する階調ＶL[2k+1][n]（第１階調）と、左眼用表示データＶLが第(2k)行第ｎ列の画素ＰIX（第２画素）に指定する階調ＶL[2k][n]（第２階調）との加重平均として算出される。そして、当該選択期間Ｈにおいて、信号線駆動回路４４は、階調ＧL[2k][1]〜ＧL[2k][N]に応じた階調電位Ｘ[1]〜Ｘ[Ｎ]を、Ｎ本の信号線３４の各々に供給する。したがって、第２組を構成する第(2k)行および第(2k+1)行の各画素ＰIXのうち第ｎ列の２個の画素ＰIXには、左眼用画像ＧLの画像信号Ｇが第(2k)行第n列の画素ＰIXに指定する階調ＧL[2k][n]に応じた階調電位Ｘ[n]が共通に供給される。より具体的には、階調ＧL[2k][n]は、以下の式（４）により決定される。
ＧL[2k][n]
＝｛（ｗ2k×ＶL[2k][n]）＋（ｗ2k+1×ＶL[2k+1][n]）｝／｛ｗ2k＋ｗ2k+1｝  …  式（４）
ここで、式（４）に現れる重み付け係数ｗ2k+1（第１重み付け係数）およびｗ2k（第２重み付け係数）は、「０」よりも大きな実数であればどのような値であってもよい。本実施形態では、重み付け係数ｗ2kおよびｗ2k+1は等しい値、例えば「１」に設定される。
【００３９】
このように、第１実施形態では、各単位期間Ｕ（Ｕ1，Ｕ2）において同時に選択される２行に位置しｙ方向に相互に隣合う２個の画素ＰIXに対して、階調電位Ｘ[n]が共通に供給される。なお、以下では、階調電位Ｘ[n]が共通に供給される２個の画素ＰIXを、「選択画素」と称する場合がある。また、各画素ＰIXについて、各表示期間Ｐ（右眼用表示期間ＰRおよび左眼用表示期間ＰL）の単位期間Ｕ1において画像信号Ｇ（右眼用画像ＧR，左眼用画像ＧL）が指定する階調を第１設定階調と称し、単位期間Ｕ2において画像信号Ｇ（右眼用画像ＧR，左眼用画像ＧL）が指定する階調を第２設定階調と称する場合がある。
【００４０】
以上の説明から理解されるように、右眼用表示期間ＰRの単位期間Ｕ1では、直前の左眼用表示期間ＰLで表示された左眼用画像ＧLが第１組毎（２行毎）に順次に右眼用画像ＧRに更新され、左眼用表示期間ＰLの単位期間Ｕ1では、直前の右眼用表示期間ＰRで表示された右眼用画像ＧRが第１組毎に順次に左眼用画像ＧLに更新される。すなわち、各表示期間Ｐの単位期間Ｕ1では右眼用画像ＧRと左眼用画像ＧLとが混在する。
【００４１】
図１の制御回路１４の眼鏡制御回路１４４は、立体視用眼鏡２０の右眼用シャッター２２および左眼用シャッター２４の各々の状態（開状態／閉状態）を電気光学パネル１２の動作に同期して制御する。具体的には、眼鏡制御回路１４４は、図３に示すように、各表示期間Ｐ（ＰR，ＰL）の単位期間Ｕ1にて右眼用シャッター２２および左眼用シャッター２４の双方を閉状態に制御する。また、眼鏡制御回路１４４は、右眼用表示期間ＰRの単位期間Ｕ2にて右眼用シャッター２２を開状態に制御するとともに左眼用シャッター２４を閉状態に制御し、左眼用表示期間ＰLの単位期間Ｕ2にて左眼用シャッター２４を開状態に制御するとともに右眼用シャッター２２を閉状態に制御する。
【００４２】
したがって、右眼用表示期間ＰRの単位期間Ｕ2で表示される右眼用画像ＧRは右眼用シャッター２２を透過して観察者の右眼に到達するとともに左眼用シャッター２４で遮断される。他方、左眼用表示期間ＰLの単位期間Ｕ2で表示される左眼用画像ＧLは左眼用シャッター２４を透過して観察者の左眼に到達するとともに右眼用シャッター２２で遮断される。右眼用シャッター２２を透過した右眼用画像ＧRを右眼で視認するとともに左眼用シャッター２４を透過した左眼用画像ＧLを左眼で視認することで、観察者は表示画像に立体感を知覚する。
【００４３】
前述の通り各表示期間Ｐの単位期間Ｕ1では右眼用画像ＧRと左眼用画像ＧLとが混在するが、図３を参照して説明した通り、各表示期間Ｐの単位期間Ｕ1では右眼用シャッター２２および左眼用シャッター２４の双方が閉状態に維持されるから、右眼用画像ＧRと左眼用画像ＧLとの混在（クロストーク）は観察者に知覚されない。すなわち、右眼用画像ＧRと左眼用画像ＧLとが確実に右眼および左眼に分離されるから、観察者に明確な立体感を知覚させることが可能である。
【００４４】
なお、各表示期間Ｐの単位期間Ｕ1および単位期間Ｕ2の各々では、表示データＶが示す本来の表示画像のｙ方向の解像度を半減させた画像（右眼用画像ＧR，左眼用画像ＧL）が表示される。
しかし、右眼用表示期間ＰR内の単位期間Ｕ1にて、階調ＧR[2k-1]に応じて第１組毎に表示された右眼用画像ＧRが、直後の単位期間Ｕ2では、階調ＧR[2k]に応じて第２組毎に表示される画像に順次に更新される。すなわち、右眼用表示期間ＰR内の単位期間Ｕ2では、単位期間Ｕ1にて表示された右眼用画像ＧRと、単位期間Ｕ2にて表示される右眼用画像ＧRとが混在する。左眼用表示期間ＰLにおいても同様である。したがって、各単位期間Ｕにおける表示画像の解像度の低下が観察者に知覚され難いという利点がある。
【００４５】
ここで、図５および図６を参照しつつ、単位期間Ｕ1において第１組毎に表示される画像と単位期間Ｕ2おいて第２組毎に表示される画像とが混在したときに、観察者が実際に知覚する画像について説明する。なお、図５および図６は、説明の便宜上、縦Ｍ行×横Ｎ列の行列状に配列された複数の画素ＰIXのうち、第１行〜第８行の縦８行と、第１列〜第８列の横８列の、６４個の画素ＰIXを例示的に示している。
【００４６】
図５は、外部回路から供給される表示データＶと、表示制御回路１４２が生成する画像信号Ｇとの関係を表す説明図である。なお、以下では、表示制御回路１４２に右眼用表示データＶRが供給され、表示制御回路１４２が右眼用画像ＧRの画像信号Ｇを出力する場合を例示して説明するが、以下の説明は、表示制御回路１４２に左眼用表示データＶLが供給され、表示制御回路１４２が左眼用画像ＧLの画像信号Ｇを出力する場合であっても同様に該当する。
図５（Ａ）は、外部回路から供給される表示データＶ（右眼用表示データＶR）が各画素ＰIXに指定する階調ＶR[m][n]の大きさを、濃淡で表した説明図である。この例では、表示データＶが指定する階調が最大階調である場合、当該画素ＰIXを白色で表し、最小階調である場合、当該画素ＰIXを黒色で表し、最大階調と最小階調との中間階調である場合、当該画素ＰIXを白色と黒色との中間色（例えば灰色）で表す。
この例において、右眼用表示データＶRは、例えば第４列に位置する画素ＰIXのうち、
第５行の画素ＰIXに対して指定する階調ＶR[5][4]を、最小階調（図において黒色で表す）に設定するとともに、第５行以外に位置する７個の画素ＰIXに対して指定する階調ＶR[1][4]〜ＶR[4][4]、ＶR[6][4]〜ＶR[8][4]を、最大階調（図において白色で表す）に設定する。
【００４７】
図５（Ｂ）は、図５（Ａ）に示す右眼用表示データＶRが外部回路より供給されたときに、単位期間Ｕ1において右眼用画像ＧRの画像信号Ｇが各画素ＰIXに指定する階調（第１設定階調）の大きさを表し、図５（Ｃ）は、単位期間Ｕ2において右眼用画像ＧRの画像信号Ｇが各画素ＰIXに指定する階調（第２設定階調）の大きさを表した説明図である。なお、図５（Ｂ）および（Ｃ）においても、図５（Ａ）と同様に、画像信号Ｇが各画素ＰIXに指定する階調の大きさを、濃淡で表している。
【００４８】
ここで、例えば第４列に位置する複数の画素ＰIXについて検討する。
図５（Ｂ）に示すように、単位期間Ｕ1において、第４列に位置する画素ＰIXのうち、第３行および第４行に位置する２個の画素ＰIX（選択画素）には、階調ＶR[3][4]およびＶR[4][4]の平均として算出される階調ＧR[3][4]に応じた階調電位Ｘ[n]が供給される。前述の通り、階調ＶR[3][4]およびＶR[4][4]は最大階調であるため、階調ＧR[3][4]も最大階調（図において白色）となる。また、第４列に位置する画素ＰIXのうち、第５行および第６行に位置する２個の画素ＰIX（選択画素）には、階調ＶR[5][4]およびＶR[6][4]の平均として算出される階調ＧR[5][4]に応じた階調電位Ｘ[n]が供給される。前述の通り、階調ＶR[5][4]は最小階調であり、ＶR[4][4]は最大階調であるため、階調ＧR[5][4]は中間階調（図において灰色）となる。
図５（Ｃ）に示すように、単位期間Ｕ2において、第４列に位置する画素ＰIXのうち、第４行および第５行に位置する２個の画素ＰIX（選択画素）には、階調ＶR[4][4]およびＶR[5][4]の平均として算出される階調ＧR[4][4]に応じた階調電位Ｘ[n]が供給される。前述の通り、階調ＶR[4][4]は最大階調であり、ＶR[5][4]は最小階調であるため、階調ＧR[4][4]は中間階調（図において灰色）となる。また、第４列に位置する画素ＰIXのうち、第６行および第７行に位置する２個の画素ＰIX（選択画素）には、階調ＶR[6][4]およびＶR[7][4]の平均として算出される階調ＧR[6][4]に応じた階調電位Ｘ[n]が供給される。前述の通り、階調ＶR[6][4]およびＶR[7][4]は最大階調であるため、階調ＧR[6][4]も最大階調（図において白色）となる。
【００４９】
観察者は、単位期間Ｕ2において、単位期間Ｕ1において表示された右眼用画像ＧRと、単位期間Ｕ2において表示された右眼用画像ＧRとが混在した画像を知覚する。
図６は、図５（Ａ）に示す表示データＶが外部回路より供給された場合に、単位期間Ｕ2において観察者が実際に知覚する階調を表した説明図である。
例えば、第５行第４列に位置する画素ＰIXは、図５（Ｂ）に示すように、単位期間Ｕ1において中間階調（図において灰色）である階調ＧR[5][4]（第１設定階調）に応じた階調電位Ｘ[n]が供給され、図５（Ｃ）に示すように、単位期間Ｕ2において中間階調（図において灰色）である階調ＧR[4][4]（第２設定階調）に応じた階調電位Ｘ[n]が供給される。従って、第５行第４列に位置する画素ＰIXは、図６に示すように、第１設定階調と第２設定階調との間の階調である中間階調（図において灰色）を表示するものとして、観察者に知覚される。
また、第４行第４列に位置する画素ＰIXは、最大階調（図において白色）である階調ＧR[3][4]（第１設定階調）と中間階調（図において灰色）である階調ＧR[4][4]との間の階調を表示するものとして、観察者に知覚される。第６行第４列に位置する画素ＰIXは、中間階調（図において灰色）である階調ＧR[5][4]（第１設定階調）と最大階調（図において白色）である階調ＧR[6][4]との間の階調を表示するものとして、観察者に知覚される。
第４列に位置する８個の画素ＰIXのうち、第４行〜第６行以外の行に位置する５個の画素ＰIXは、最大階調（図において白色）を表示するものとして、観察者に知覚される。
【００５０】
なお、厳密には、観察者が知覚する画素ＰIXの階調は、当該画素ＰIXに指定される第１設定階調および第２設定階調の他に、当該画素ＰIXの画素部３０における位置に基づいて定められる。
具体的には、第ｍ行に位置する画素ＰIXが単位期間Ｕ1において指定された第１設定階調を表示する期間と単位期間Ｕ2とが重複する期間（すなわち、単位期間Ｕ2のうち、当該画素ＰIXが第１設定階調を表示する期間）の時間長を時間長ｓ1[m]とし、当該画素ＰIXが単位期間Ｕ2において指定された第２設定階調を表示する期間と単位期間Ｕ2とが重複する期間（すなわち、単位期間Ｕ2のうち、当該画素ＰIXが第２設定階調を表示する期間）の時間長を時間長ｓ2[m]とする。このとき、当該画素ＰIXは、時間長ｓ1および時間長ｓ2を重みとした、第１設定階調および第２設定階調の加重平均に相当する階調を表示するものとして、観察者に知覚される。
時間長ｓ1[m]は、画素ＰIXが、画素部３０の上部（Ｙ方向の負側）に位置する場合に短くなる。この場合、当該画素ＰIXは、第２設定階調に比べて第１設定階調に近い階調を表示するものとして、観察者に知覚される。
【００５１】
＜第１実施形態の効果＞
以上に説明した第１実施形態では、各単位期間Ｕにて走査線３２を２本単位で選択して各画素ＰIXに階調電位Ｘ[n]を供給する。したがって、各表示期間Ｐにて走査線３２を１行単位で選択期間Ｈ毎に順次に選択して各画素ＰIXに階調電位Ｘ[n]を供給する構成と比較すると、右眼用画像ＧRと左眼用画像ＧLとが混在する期間（すなわち右眼用シャッター２２および左眼用シャッター２４の双方を閉状態に維持すべき期間）の時間長が短縮される。すなわち、表示期間Ｐのうち右眼用シャッター２２または左眼用シャッター２４を開状態に維持できる時間長が充分に確保される。したがって、観察者が認識する表示画像の明度を向上することが可能である。
【００５２】
また、第１実施形態では、各表示期間Ｐの単位期間Ｕ1および単位期間Ｕ2の各々において走査線３２を２本単位で選択して各画素ＰIXに階調電位Ｘ[n]を供給する。したがって、表示データＶおよび画像信号Ｇの転送速度や駆動回路４０の動作速度を、表示期間Ｐを周期として表示画像を更新する構成と同等に維持できるという利点もある。
【００５３】
また、第１実施形態では、右眼用画像ＧRの指定する階調ＧR[2k-1][n]に応じた階調電位Ｘ[n]が、制御期間Ｔ1における右眼用表示期間ＰRの単位期間Ｕ1では正極性に設定され、制御期間Ｔ2における右眼用表示期間ＰRの単位期間Ｕ1では負極性に設定される。右眼用表示期間ＰRの単位期間Ｕ2における階調ＧR[2k][n]、左眼用表示期間ＰLの単位期間Ｕ1における階調ＧL[2k-1][n]、および、左眼用表示期間ＰLの単位期間Ｕ2における階調ＧL[2k][n]についても同様に、階調電位Ｘ[n]が正極性に設定される時間長と負極性に設定される時間長とが均等化される。したがって、液晶素子ＣLに対する直流成分の印加を抑制できる（液晶素子ＣLの劣化を抑制できる）という利点がある。
【００５４】
また、第１実施形態では、上述の通り、右眼用表示期間ＰR内の単位期間Ｕ2において、単位期間Ｕ1にて表示された画像と、単位期間Ｕ2にて表示される画像とが混在する。左眼用表示期間ＰLにおいても同様である。したがって、各単位期間Ｕにおける表示画像の解像度の低下が観察者に知覚され難いという利点がある。
【００５５】
なお、表示データＶ（右眼用表示データＶR，左眼用表示データＶL）に基づいて、観察者に立体感を知覚させる立体視画像を表示する電子機器として、走査線３２を２本単位で選択し、同時に選択される２行にてｙ方向に相互に隣合う２個の画素ＰIXのうち一方の画素ＰIXに表示データＶが指定する階調を、当該２個の画素ＰIXに共通に供給することで、右眼用表示データＶRの示す画像と左眼用表示データＶLの示す画像とを時分割で交互に表示する構成（以下、「対比例１」と称する）も想定することができる。
対比例１によれば、上述した効果、すなわち、第１に、表示期間Ｐのうち右眼用シャッター２２または左眼用シャッター２４を開状態に維持できる時間長が充分に確保することで観察者が認識する表示画像の明度を向上することができ、第２に、表示データＶの転送速度や駆動回路４０の動作速度を、表示期間Ｐを周期として表示画像を更新する構成と同等に維持することができ、第３に、液晶素子ＣLに対する直流成分の印加を抑制でき、第４に、解像度の低下が観察者に知覚され難いという利点を有する。
ところで、第１実施形態は、表示データＶに基づいて画像信号Ｇを生成するため、各画素ＰIXが表示する階調の変化に起因した「ちらつき」の発生を抑止することができるという効果を有する。これに対して、対比例１では、このような「ちらつき」の発生の抑制という効果を得ることはできない。以下では、第１実施形態おける「ちらつき」の発生の抑制という効果を詳述するために、対比例１における「ちらつき」の発生という問題点について説明する。なお、以下に示す対比例１において、作用や機能が第１実施形態と同等である要素については、以上の説明で参照した符号を流用して各々の詳細な説明を適宜に省略する。
【００５６】
図７を参照しつつ、対比例１に係る電気光学装置の表示動作について説明する。
図７に示すように、各制御期間Ｔ（Ｔ1，Ｔ2）内の右眼用表示期間ＰRの単位期間Ｕ1のうち、第１組を構成する第(2k-1)行および第(2k)行の２本の走査線３２が選択される選択期間Ｈでは、信号線駆動回路４４は、右眼用表示データＶRが第(2k-1)行の各画素ＰIXに指定する階調ＶR[2k-1][1]〜ＶR[2k-1][N]に応じた階調電位Ｘ[1]〜Ｘ[Ｎ]を、Ｎ本の信号線３４の各々に供給する。したがって、図７の部分(R1)に示す通り、第１組を構成する第(2k-1)行および第(2k)行の各画素ＰIXのうち第ｎ列の２個の画素ＰIX（選択画素）には、第(2k-1)行第ｎ列の画素ＰIXに右眼用表示データＶRが指定する階調ＶR[2k-1][N]に応じた階調電位Ｘ[n]が供給される。
また、各制御期間Ｔ（Ｔ1，Ｔ2）内の右眼用表示期間ＰRの単位期間Ｕ2のうち、第２組を構成する第(2k)行および第(2k+1)行の２本の走査線３２が選択される選択期間Ｈでは、信号線駆動回路４４は、右眼用表示データＶRが第(2k)行の各画素ＰIXに指定する階調ＶR[2k][1]〜ＶR[2k][N]に応じた階調電位Ｘ[1]〜Ｘ[Ｎ]を、Ｎ本の信号線３４の各々に供給する。したがって、図７の部分(R2)に示す通り、第２組を構成する第(2k)行および第(2k+1)行の各画素ＰIXのうち第ｎ列の２個の画素ＰIX（選択画素）には、第(2k)行第ｎ列の画素ＰIXに右眼用表示データＶRが指定する階調ＶR[2k][N]に応じた階調電位Ｘ[n]が供給される。
各制御期間Ｔ（Ｔ1，Ｔ2）の左眼用表示期間ＰLでは右眼用表示期間ＰR内と同様の動作が実行される。すなわち、左眼用表示期間ＰLの単位期間Ｕ1内の各選択期間Ｈでは、図７の部分(L1)に示す通り、第(2k-1)行および第(2k)行で構成される第１組の各画素ＰIXのうち第ｎ列の２個の画素ＰIX（選択画素）には、第(2k-1)行第ｎ列の画素ＰIXに左眼用表示データＶLが指定する階調ＶL[2k-1][N]に応じた階調電位Ｘ[n]が供給される。また、左眼用表示期間ＰLの単位期間Ｕ2内の各選択期間Ｈでは、図３の部分(L2)に示す通り、第(2k)行および第(2k+1)行で構成される第２組の各画素ＰIXのうち第ｎ列の２個の画素ＰIX（選択画素）には、第(2k)行第ｎ列の画素ＰIXに左眼用表示データＶLが指定する階調ＶL[2k][N]に応じた階調電位Ｘ[n]が供給される。
【００５７】
図８および図９は、対比例１に係る電気光学装置に供給される表示データＶの指定する階調と、観察者が知覚する画像との関係について表した説明図である。
図８（Ａ）は、外部回路から供給される表示データＶ（右眼用表示データＶR）が各画素ＰIXに指定する階調ＶR[m][n]の大きさを、濃淡で表した説明図である。図８（Ａ）に表す表示データＶは、図５（Ａ）に表す表示データＶと同一である。なお、ここでは、表示データＶが右眼用表示データＶRの場合を例示して説明するが、以下の説明は、表示データＶが左眼用表示データＶLであっても同様に該当する。
図８（Ｂ）は単位期間Ｕ1において右眼用表示データＶRが各画素ＰIXに指定する階調ＶR[m][n]の大きさを表し、図８（Ｃ）は単位期間Ｕ2において右眼用表示データＶRが各画素ＰIXに指定する階調ＶR[m][n]の大きさを表す。
図８（Ｂ）に示すように、単位期間Ｕ1において、第４列に位置する画素ＰIXのうち、第３行および第４行に位置する２個の画素ＰIX（選択画素）には、階調ＶR[3][4]に応じた階調電位Ｘ[n]が供給される。ここで、階調ＶR[3][4]は最大階調（図において白色）である。また、第４列に位置する画素ＰIXのうち、第５行および第６行に位置する２個の画素ＰIX（選択画素）には、階調ＶR[5][4]に応じた階調電位Ｘ[n]が供給される。ここで、階調ＶR[5][4]は最小階調（図において黒色）である。
図８（Ｃ）に示すように、単位期間Ｕ2において、第４列に位置する画素ＰIXのうち、第４行および第５行に位置する２個の画素ＰIX（選択画素）には、階調ＶR[4][4]に応じた階調電位Ｘ[n]が供給される。ここで、階調ＶR[4][4]は最大階調（図において白色）である。また、第４列に位置する画素ＰIXのうち、第６行および第７行に位置する２個の画素ＰIX（選択画素）には、階調ＶR[6][4]に応じた階調電位Ｘ[n]が供給される。ここで、階調ＶR[6][4]は最大階調（図において白色）である。
このとき、単位期間Ｕ2において観察者は、図９に示すように、単位期間Ｕ1で表示された画像と、単位期間Ｕ2で表示される画像とが混在した画像を知覚する。
【００５８】
ここで、例えば、図８（Ｂ）および（Ｃ）において「○」印が付された第５行第４列の画素ＰIXは、単位期間Ｕ1において最小階調（黒色）が指定され、単位期間Ｕ2において最大階調（白色）が指定される。すなわち、第５行第４列の画素ＰIXは、単位期間Ｕ2のうち一定期間（すなわち、時間長ｓ1[5]に相当する期間）において最小階調を表示し、その後の単位期間Ｕ2が終了するまでの期間（すなわち、時間長ｓ2[5]に相当する期間）において最大階調を表示する。このように、第５行第４列の画素ＰIXが表示する階調は、単位期間Ｕ2の中で、最小階調から最大階調へと、急激に変化する。なお、この例では、第３行第６列、第４行第６列、第４行第５列、第５行第５列、第６行第４列、第６行第３列、および、第７行第３列の７個の画素ＰIXについても、表示する階調が、単位期間Ｕ2において急激に変化する。
このように、画素ＰIXの表示する階調が、単位期間Ｕ2において変化する場合、観察者は、画素ＰIXの表示する階調の変化を「ちらつき」として知覚することがある。特に、図８および図９に示す例のように、ある画素ＰIXが単位期間Ｕ1において指定される階調と単位期間Ｕ2において指定される階調との差異が大きい場合、当該画素ＰIXの表示する階調は、単位期間Ｕ2において大きく変化するため、観察者が当該画素ＰIXの階調の変化を「ちらつき」として知覚する可能性が高くなる。また、表示データＶの表す映像が静止画である場合、図８（Ｂ）および（Ｃ）で示した各画素ＰIXの階調の変化が、制御期間Ｔ毎に連続的に繰り返されるため、観察者が各画素ＰIXの階調の変化を「ちらつき」として知覚する可能性が高くなる。
【００５９】
これに対して、第１実施形態では、信号線駆動回路４４は、各単位期間Ｕ（Ｕ1，Ｕ2）において同時に選択される２行に位置しｙ方向に相互に隣合う２個の画素ＰIX（選択画素）に対して、表示データＶが一方の画素ＰIXに指定する階調と、表示データＶが他方の画素ＰIXに指定する階調との平均として算出される階調に応じた階調電位Ｘ[n]を共通に供給する。これにより、第１実施形態では、単位期間Ｕ2における各画素ＰIXの階調の変化量を、対比例１に比べて約半分に抑えることが可能である。
例えば、図５（Ａ）に示す表示データＶが外部回路から供給された場合、対比例１では、図８（Ｂ）および（Ｃ）に示すように、第５行第４列の画素ＰIXの階調が、最小階調（黒色）から最大階調（白色）へと大きく変化するのに対して、第１実施形態では、図５（Ｂ）および（Ｃ）に示すように、第５行第４列の画素ＰIXの階調は、中間階調（灰色）から最大階調（白色）へと変化するに過ぎない。
すなわち、第１実施形態では、単位期間Ｕ1において各画素ＰIXが指定される階調（第１設定階調）と、単位期間Ｕ2において各画素ＰIXが指定される階調（第２設定階調）との変化量を小さく抑えることで、各画素ＰIXの階調の変化を「ちらつき」として観察者に知覚される可能性を低減することができる。
【００６０】
＜第２実施形態＞
第１実施形態のように各単位期間Ｕでの階調電位Ｘ[n]の極性を制御期間Ｔ毎に反転させた場合、図３に示すように、各制御期間Ｔの境界を挟む２個の単位期間Ｕの時間長τにわたり液晶素子ＣLの印加電圧が同極性に維持される。液晶素子ＣLに同極性の電圧を印加する期間が長いほど、階調電位Ｘ[n]の極性差に起因した表示階調の変動（すなわち「フリッカ」）が観察者に知覚され易い。したがって、第１実施形態のように単位期間Ｕの２個分にわたる長い周期において階調電位Ｘ[n]の極性が同極性に維持される構成では、フリッカが観察者に知覚され易いという問題が生じる。
第２実施形態は、第１実施形態で発生しうる以上の問題の解決を目的とした形態である。なお、以下に例示する各形態において作用や機能が第１実施形態と同等である要素については、以上の説明で参照した符号を流用して各々の詳細な説明を適宜に省略する。
【００６１】
図１０は、第２実施形態における電気光学装置１０の動作の説明図である。第２実施形態では、制御期間Ｔ1および制御期間Ｔ2の双方において、階調電位Ｘ[n]の極性が、各表示期間Ｐの単位期間Ｕ1にて正極性(+)に設定されるとともに単位期間Ｕ2にて負極性(-)に設定される。したがって、階調電位Ｘ[n]の極性は常に単位期間Ｕ（Ｕ1，Ｕ2）毎に反転し、階調電位Ｘ[n]が同極性となる単位期間Ｕは時間軸上で連続しない。これにより、第２実施形態に係る電気光学装置１０は、階調電位Ｘ[n]の極性差に起因したフリッカが観察者に知覚され難くすることが可能である。
【００６２】
第２実施形態では、各表示期間Ｐの単位期間Ｕ1／単位期間Ｕ2と走査線駆動回路４２による選択対象（第１組／第２組）との関係が制御期間Ｔ1と制御期間Ｔ2とで逆転する。すなわち、図１０に示すように、制御期間Ｔ1では、走査線駆動回路４２は、第１実施形態と同様に、各表示期間Ｐ（ＰR，ＰL）の単位期間Ｕ1にて第１組を選択期間Ｈ毎に順次に選択し、単位期間Ｕ2にて第２組を選択期間Ｈ毎に順次に選択する。他方、制御期間Ｔ2では、走査線駆動回路４２は、図１０に示すように、各表示期間Ｐ（ＰR，ＰL）の単位期間Ｕ1にて第２組を選択期間Ｈ毎に順次に選択し、単位期間Ｕ2にて第１組を選択期間Ｈ毎に順次に選択する。
【００６３】
制御期間Ｔ1における信号線駆動回路４４の動作は第１実施形態と同様である。すなわち、図１０に示すように、各表示期間Ｐ（ＰR，ＰL）の単位期間Ｕ1内のうち第１組を構成する第(2k-1)行および第(2k)行の２本の走査線３２が選択される選択期間Ｈにおいて、画像信号Ｇが第(2k-1)行第ｎ列の画素ＰIXに指定する階調（ＧR[2k-1][n]，ＧL[2k-1][n]）は、表示データＶが第(2k-1)行第ｎ列の画素ＰIXに指定する階調（ＶR[2k-1][n]，ＶL[2k-1][n]）と第(2k)行第ｎ列の画素ＰIXに指定する階調（ＶR[2k][n]，ＶL[2k][n]）との加重平均として算出される。そして、当該選択期間Ｈにおいて、信号線駆動回路４４は、当該階調（ＧR[2k-1][n]，ＧL[2k-1][n]）に応じた階調電位Ｘ[n]を各信号線３４に供給する。
また、各表示期間Ｐの単位期間Ｕ2内のうち第２組を構成する第(2k)行および第(2k+1)行の２本の走査線３２が選択される選択期間Ｈにおいて、画像信号Ｇが第(2k)行第ｎ列の画素ＰIXに指定する階調（ＧR[2k][n]，ＧL[2k][n]）は、表示データＶが第(2k)行第ｎ列の画素ＰIXに指定する階調（ＶR[2k][n]，ＶL[2k][n]）と第(2k+1)行第ｎ列の画素ＰIXに指定する階調（ＶR[2k+1][n]，ＶL[2k+1][n]）との加重平均として算出される。そして、当該選択期間Ｈにおいて、信号線駆動回路４４は、当該階調（ＧR[2k][n]，ＧL[2k][n]）に応じた階調電位Ｘ[n]を各信号線３４に供給する。
【００６４】
他方、制御期間Ｔ2の各表示期間Ｐ（ＰR，ＰL）において、各表示期間Ｐ（ＰR，ＰL）の単位期間Ｕ1のうち第２組を構成する第(2k)行および第(2k+1)行の２本の走査線３２が選択される選択期間Ｈにおいて、画像信号Ｇが第(2k)行第ｎ列の画素ＰIXに指定する階調（ＧR[2k][n]，ＧL[2k][n]）は、表示データＶが第(2k)行第ｎ列の画素ＰIXに指定する階調（ＶR[2k][n]，ＶL[2k][n]）と第(2k+1)行第ｎ列の画素ＰIXに指定する階調（ＶR[2k+1][n]，ＶL[2k+1][n]）との加重平均として算出される。そして、当該選択期間Ｈにおいて、信号線駆動回路４４は、当該階調（ＧR[2k][n]，ＧL[2k][n]）に応じた階調電位Ｘ[n]を各信号線３４に供給する。
また、各表示期間Ｐの単位期間Ｕ2のうち第１組を構成する第(2k-1)行および第(2k)行の２本の走査線３２が選択される選択期間Ｈにおいて、画像信号Ｇが第(2k-1)行第ｎ列の画素ＰIXに指定する階調（ＧR[2k-1][n]，ＧL[2k-1][n]）は、表示データＶが第(2k-1)行第ｎ列の画素ＰIXに指定する階調（ＶR[2k-1][n]，ＶL[2k-1][n]）と第(2k)行第ｎ列の画素ＰIXに指定する階調（ＶR[2k][n]，ＶL[2k][n]）との加重平均として算出される。そして、当該選択期間Ｈにおいて、信号線駆動回路４４は、当該階調（ＧR[2k-1][n]，ＧL[2k-1][n]）に応じた階調電位Ｘ[n]を各信号線３４に供給する。
【００６５】
すなわち、右眼用画像ＧRに基づく階調ＧR[2k-1][n]に応じた階調電位Ｘ[n]が、制御期間Ｔ1内の右眼用表示期間ＰRの単位期間Ｕ1にて正極性で各画素ＰIXに供給され、制御期間Ｔ2内の右眼用表示期間ＰRの単位期間Ｕ2にて負極性で各画素ＰIXに供給される。同様に、右眼用画像ＧRに基づく階調ＧR[2k][n]に応じた階調電位Ｘ[n]が、制御期間Ｔ1の右眼用表示期間ＰRの単位期間Ｕ2にて負極性で各画素ＰIXに供給され、制御期間Ｔ2内の右眼用表示期間ＰRの単位期間Ｕ1にて正極性で各画素ＰIXに供給される。左眼用画像ＧLに基づく階調ＧL[2k-1][n]および階調ＧL[2k][n]に応じた階調電位Ｘ[n]も同様に、制御期間Ｔ1と制御期間Ｔ2とで共通の時間長にわたり逆極性に設定される。
【００６６】
ところで、第１実施形態で発生しうる問題（つまり、フリッカが観察者に知覚され易いという問題）の解決を目的とした形態としては、図１１に示すように、各表示期間Ｐの単位期間Ｕ1／単位期間Ｕ2と走査線駆動回路４２による選択対象（第１組／第２組）との関係が制御期間Ｔ1と制御期間Ｔ2とで等しく、制御期間Ｔ1および制御期間Ｔ2の双方において、階調電位Ｘ[n]の極性が、各表示期間Ｐの単位期間Ｕ1にて正極性(+)に設定されるとともに単位期間Ｕ2にて負極性(-)に設定される態様（以下、「対比例２」と称する）も想定することができる。対比例２に係る電気光学装置１０では、階調電位Ｘ[n]の極性は常に単位期間Ｕ（Ｕ1，Ｕ2）毎に反転し、階調電位Ｘ[n]が同極性となる単位期間Ｕは時間軸上で連続しない。これにより、第２実施形態に係る電気光学装置１０は、階調電位Ｘ[n]の極性差に起因したフリッカが観察者に知覚され難くすることが可能である。
しかし、対比例２では、右眼用画像ＧRに基づく階調ＧR[2k-1][n]に応じた階調電位Ｘ[n]が常に正極性に設定され、右眼用画像ＧRに基づく階調ＧR[2k][n]に応じた階調電位Ｘ[n]が常に負極性に設定される。階調ＧR[2k-1][n]と階調ＧR[2k][n]とは通常は相違するから、対比例２では液晶素子ＣLの印加電圧の極性に偏り（直流成分の残留）が発生する可能性がある。左眼用画像ＧLについても同様である。
【００６７】
他方、第２実施形態では、右眼用画像ＧRに基づく階調ＧR[2k-1][n]に応じた階調電位Ｘ[n]が、制御期間Ｔ1の単位期間Ｕ1では正極性に設定され、制御期間Ｔ2の単位期間Ｕ2では負極性に設定される。右眼用画像ＧRに基づく階調ＧR[2k][n]、左眼用画像ＧLに基づく階調ＧL[2k-1][n]、および、左眼用画像ＧLに基づく階調ＧL[2k][n]についても同様に、階調電位Ｘ[n]が正極性に設定される時間長と負極性に設定される時間長とが均等化される。したがって、第２実施形態に係る電気光学装置１０は、液晶素子ＣLに対する直流成分の印加が対比例２と比較して低減される（液晶素子ＣLの劣化を抑制できる）という利点がある。すなわち、第２実施形態によれば、直流成分の印加に起因した液晶素子ＣLの劣化を抑制する第１実施形態の効果と、階調電位Ｘ[n]の極性差に起因したフリッカを抑制する効果とを両立できるという利点がある。
【００６８】
＜変形例＞    
以上の各形態は多様に変形され得る。具体的な変形の態様を以下に例示する。以下の例示から任意に選択された２以上の態様は、相互に矛盾しない範囲内で適宜に併合され得る。
【００６９】
（１）変形例１
上述した第１実施形態では、走査線駆動回路４２は、各表示期間Ｐの単位期間Ｕ1において、第１組を構成する第(2k-1)行および第(2k)行の走査線３２を選択し、各表示期間Ｐの単位期間Ｕ2において、第２組を構成する第(2k)行および第(2k+1)行の走査線３２を選択したが、単位期間Ｕ1／単位期間Ｕ2と、走査線駆動回路４２による選択対象（第１組／第２組）との関係を逆転することも可能である。
すなわち、走査線駆動回路４２は、各表示期間Ｐの単位期間Ｕ1において、第２組を構成する第(2k)行および第(2k+1)行の走査線３２を選択し、各表示期間Ｐの単位期間Ｕ2において、第１組を構成する第(2k-1)行および第(2k)行の走査線３２を選択してもよい。
【００７０】
（２）変形例２
上述した実施形態および変形例では、右眼用表示期間ＰRのうち単位期間Ｕ1の終点にて右眼用シャッター２２を閉状態から開状態に変化させたが、右眼用シャッター２２を閉状態から開状態に変化させる時期は適宜に変更される。例えば、右眼用表示期間ＰRの単位期間Ｕ1の終点以前に右眼用シャッター２２を開状態に変化させる構成では、単位期間Ｕ1内での右眼用画像ＧRと左眼用画像ＧLとの混在が観察者に若干は知覚されるが、表示画像の明度を向上させることが可能である。他方、右眼用表示期間ＰRの単位期間Ｕ1の終点以降の時点で右眼用シャッター２２を開状態に変化させる構成では、表示画像の明度は低下するが、右眼用画像ＧRと左眼用画像ＧLとの混在が観察者に知覚されることを確実に防止することが可能である。同様に、右眼用シャッター２２を開状態から閉状態に変化させる時期を、右眼用表示期間ＰRの単位期間Ｕ2の終点以前に設定した構成（表示画像の明度は低下するが右眼用画像ＧRと左眼用画像ＧLとの混在は防止される）や、右眼用表示期間ＰRの単位期間Ｕ2の終点以降に設定した構成（左眼用表示期間ＰLの単位期間Ｕ1内で右眼用画像ＧRと左眼用画像ＧLとの若干の混在は知覚されるが表示画像の明度は向上する）も採用され得る。また、右眼用画像ＧRと左眼用画像ＧLとの混在が観察者に知覚され難い開閉の時期は、右眼用シャッター２２および左眼用シャッター２４の応答特性と電気光学パネル１２（液晶素子ＣL）の応答特性との関係にも依存する。したがって、右眼用シャッター２２を閉状態から開状態に変化させる時期や開状態から閉状態に変化させる時期は、右眼用画像ＧRと左眼用画像ＧLとの混在を観察者に知覚されることの防止と表示画像の明度の確保との優先度（バランス）や、立体視用眼鏡２０の応答特性と電気光学パネル１２の応答特性との関係といった種々の要因を考慮して選定される。なお、以上の説明では右眼用シャッター２２に言及したが、左眼用シャッター２４の開閉の時期についても同様の事情が妥当する。
【００７１】
以上の説明から理解されるように、右眼用シャッター２２が開状態に制御される期間は、右眼用表示期間ＰRにおける単位期間Ｕ2の少なくとも一部を含む期間（単位期間Ｕ1を含むか否かは不問）として包括される。同様に、左眼用シャッター２４が開状態に制御される期間は、左眼用表示期間ＰLにおける単位期間Ｕ2の少なくとも一部を含む期間（単位期間Ｕ1を含むか否かは不問）として包括される。また、右眼用シャッター２２および左眼用シャッター２４の双方が閉状態に制御される期間は、各表示期間Ｐ（ＰR，ＰL）のうち単位期間Ｕ1の少なくとも一部の期間として包括される。
【００７２】
（３）変形例３  
上述した実施形態および変形例では、信号線駆動回路４４は、各単位期間Ｕにおいて同時に選択される２行に位置しｙ方向に相互に隣合う２個の画素ＰIX（選択画素）のうち一方の画素ＰIXに対して表示データＶが指定する階調と他方の画素ＰIXに対して表示データＶが指定する階調との加重平均として算出される階調に応じた階調電位Ｘ[n]を、当該選択画素の各々に対して共通に供給するものであったが、本発明はこのような態様に限定されるものではなく、信号線駆動回路４４は、選択画素のうち一方の画素ＰIXに対して表示データＶが指定する階調と他方の画素ＰIXに対して表示データＶが指定する階調との差分が、所定の閾値αよりも大きい場合に、これら２つの階調の加重平均として算出される階調に応じた階調電位Ｘ[n]を、当該選択画素の各々に対して共通に供給する一方、選択画素のうち一方の画素ＰIXに対して表示データＶが指定する階調と他方の画素ＰIXに対して表示データＶが指定する階調との差分が、所定の閾値α以下の場合に、当該選択画素のうち一方の画素ＰIXに対して表示データＶが指定する階調に応じた階調電位Ｘ[n]を、当該選択画素の各々に対して共通に供給してもよい。
具体的には、各制御期間Ｔ（Ｔ1，Ｔ2）内の各表示期間Ｐ（ＰR，ＰL）のうち、第１組を構成する第(2k-1)行および第(2k)行の２本の走査線３２が選択される選択期間Ｈにおいて、第(2k-1)行第ｎ列の画素ＰIXに対して表示データＶ（ＶR，ＶL）が指定する階調（ＶR[2k-1][n]，ＶL[2k-1][n]）と第(2k)行第ｎ列の画素ＰIXに対して表示データＶが指定する階調（ＶR[2k][n]，ＶL[2k][n]）との差分が閾値αよりも大きい場合、信号線駆動回路４４が出力する階調電位Ｘ[n]は、表示データＶが第(2k-1)行第ｎ列の画素ＰIXに指定する階調と第(2k)行第ｎ列の画素ＰIXに指定する階調との加重平均として算出される階調（ＧR[2k-1][n]，ＧL[2k-1][n]）に応じた値に設定される。一方、第(2k-1)行第ｎ列の画素ＰIXに対して表示データＶが指定する階調（ＶR[2k-1][n]，ＶL[2k-1][n]）と第(2k)行第ｎ列の画素ＰIXに対して表示データＶが指定する階調（ＶR[2k][n]，ＶL[2k][n]）との差分が閾値α以下の場合、信号線駆動回路４４が出力する階調電位Ｘ[n]は、表示データＶが第(2k-1)行第ｎ列の画素ＰIXに指定する階調（ＶR[2k-1][n]，ＶL[2k-1][n]）に応じた値に設定される。
また、各制御期間Ｔ（Ｔ1，Ｔ2）内の各表示期間Ｐ（ＰR，ＰL）のうち、第２組を構成する第(2k)行および第(2k+1)行の２本の走査線３２が選択される選択期間Ｈにおいて、
第(2k)行第ｎ列の画素ＰIXに対して表示データＶ（ＶR，ＶL）が指定する階調（ＶR[2k][n]，ＶL[2k][n]）と第(2k+1)行第ｎ列の画素ＰIXに対して表示データＶが指定する階調（ＶR[2k+1][n]，ＶL[2k+1][n]）との差分が閾値αよりも大きい場合、信号線駆動回路４４が出力する階調電位Ｘ[n]は、表示データＶが第(2k)行第ｎ列の画素ＰIXに指定する階調と第(2k+1)行第ｎ列の画素ＰIXに指定する階調との加重平均として算出される階調（ＧR[2k][n]，ＧL[2k][n]）に応じた値に設定される。一方、第(2k)行第ｎ列の画素ＰIXに対して表示データＶが指定する階調（ＶR[2k][n]，ＶL[2k][n]）と第(2k+1)行第ｎ列の画素ＰIXに対して表示データＶが指定する階調（ＶR[2k+1][n]，ＶL[2k+1][n]）との差分が閾値α以下の場合、信号線駆動回路４４が出力する階調電位Ｘ[n]は、表示データＶが第(2k)行第ｎ列の画素ＰIXに指定する階調（ＶR[2k][n]，ＶL[2k][n]）に応じた値に設定される。
【００７３】
このように、変形例３に係る電気光学装置１０は、選択画素のうち一方の画素ＰIXに対して表示データＶが指定する階調と他方の画素ＰIXに対して表示データＶが指定する階調との差分が閾値αよりも大きい場合、これら２つの階調の加重平均として算出される階調に応じた階調電位Ｘ[n]を、選択画素の各々に対して共通に供給するため、単位期間Ｕ1において各画素ＰIXが指定される階調（第１設定階調）と、単位期間Ｕ2において各画素ＰIXが指定される階調（第２設定階調）との差異を小さくすることができる。これにより、変形例３に係る電気光学装置１０は、観察者が「ちらつき」を視認する可能性を低減することができる。
【００７４】
図１２は、変形例３に係る電気光学装置１０に供給される表示データＶの指定する階調と、各画素ＰIXが各単位期間Ｕ（Ｕ1，Ｕ2）において指定される階調との関係を表した説明図である。図１２は、図５と同様に、各画素ＰIXが指定される階調の大きさを、濃淡で表している。なお、以下では、表示データＶが右眼用表示データＶRである場合を例示して説明するが、以下の説明は、表示データＶが左眼用表示データＶLであっても同様に該当する。
図１２（Ａ）は、表示データＶが各画素ＰIXに指定する階調のうち、階調ＶR[6][3]とＶR[5][4]とが最小階調（図において黒色）であり、階調ＶR[4][5]とＶR[3][6]とが中間階調（図において灰色）であり、それ以外の階調ＶR[m][n]が最大階調（図において白色）である場合を表している。
この例では、閾値αは、中間階調と最小階調との差分（最大階調と中間階調との差分）よりも大きく、且つ、最大階調と最小階調との差分よりも小さくなるように設けられる。従って、表示データＶが選択画素の各々に指定する階調のうち一方が最小階調で他方が最大階調である場合、当該選択画素の各々には、中間階調に応じた階調電位Ｘ[n]が共通に供給される。
例えば、図１２（Ｂ）に示すように、第５行第４列および第６行第４列に位置する２個の画素ＰIX（選択画素）には、最小階調（ＶR[5][4]）および最大階調（ＶR[6][4]）の平均として算出される中間階調（ＧR[5][4]）に応じた階調電位Ｘ[n]が供給される。また、第３行第６列および第４行第６列に位置する２個の画素ＰIX（選択画素）には、中間階調である階調ＶR[3][6]に応じた階調電位Ｘ[n]が供給される。このように、単位期間Ｕ1において、各画素ＰIXが指定される階調は、最大階調（図において白色）または中間階調（図において灰色）となり、最小階調（図において黒色）に指定される画素ＰIXは存在しない。
同様に、図１２（Ｃ）に示すように、単位期間Ｕ2において、各画素ＰIXが指定される階調は、最大階調（図において白色）または中間階調（図において灰色）となり、最小階調（図において黒色）に指定される画素ＰIXは存在しない。
従って、単位期間Ｕ1において各画素ＰIXが指定される階調（第１設定階調）と、単位期間Ｕ2において各画素ＰIXが指定される階調（第２設定階調）との差分は、閾値αよりも小さい値となり、第１設定階調と第２設定階調との差異に起因した「ちらつき」の発生を抑制できるという利点を有する。
【００７５】
（４）変形例４  
上述した実施形態および変形例では、表示データＶから画像信号Ｇを算出する加重平均の演算において用いる２つの重み付け係数ｗを等しい値に設定したが、本発明はこのような態様に限定されるものではなく、２つの重み付け係数ｗのうち、一方を他方よりも大きな値に設定してもよい。
表示データＶから画像信号Ｇを算出する加重平均の演算において用いる２つの重み付け係数ｗを等しい値に設定すると、電気光学装置１０は、表示データＶが示す画像に比べてコントラストの弱い画像を表示する場合がある。例えば図１３（Ａ）に示すように、表示データＶが示す画像が、黒色の背景と白色の図形とを表示する画像である場合、２つの重み付け係数ｗを等しい値に設定すると、電気光学装置１０の表示する画像は、本来白色として表示されるはずの図形を、灰色で表示してしまう。
変形例４に係る電気光学装置１０は、選択画素の階調を算出する加重平均の演算において用いる２つの重み付け係数ｗを、当該選択画素に対して表示データＶが指定する階調と、当該選択画素の周囲に存在する複数の画素ＰIXに対して表示データＶが指定する階調との関係とに基づいて定める。すなわち、変形例４に係る電気光学装置１０は、選択画素の階調を、選択画素の階調と選択画素の周囲に存在する複数の画素ＰIXの階調との関係に基づいて制御する。これにより、変形例４に係る電気光学装置１０は、表示データＶが示す本来の表示画像に近い鮮明な画像を表示することを可能とする。
【００７６】
例えば、選択画素（各単位期間Ｕ（Ｕ1，Ｕ2）において同時に選択される２行に位置しｙ方向に相互に隣合う２個の画素ＰIX）のうち一方の画素ＰIXに対して表示データＶが指定する階調が所定の階調よりも大きい値であり、他方の画素ＰIXに対して表示データＶが指定する階調が所定の階調よりも小さい値であり、選択画素の周囲に存在する複数の画素ＰIXの各々に対して表示データＶが指定する階調が所定の階調よりも小さい値である場合には、選択画素の各々が所定の階調よりも大きい階調を表示するように、２つの重み付け係数ｗを定めてもよい。この場合、２つの重み付け係数ｗのうち、一方の画素ＰIXに対応する重み付け係数ｗを、他方の画素ＰIXに対応する重み付け係数ｗよりも大きい値に設定する。
逆に、選択画素のうち一方の画素ＰIXに対して表示データＶが指定する階調が所定の階調よりも小さい値であり、他方の画素ＰIXに対して表示データＶが指定する階調が所定の階調よりも大きい値であり、選択画素の周囲に存在する複数の画素ＰIXの各々に対して表示データＶが指定する階調が所定の階調よりも大きい値である場合には、選択画素の各々が所定の階調よりも小さい階調を表示するように２つの重み付け係数ｗを定めてもよい。この場合、２つの重み付け係数ｗのうち、一方の画素ＰIXに対応する重み付け係数ｗを、他方の画素ＰIXに対応する重み付け係数ｗよりも大きい値に設定する。
このように、変形例４によれば、表示データＶがある画素ＰIXに対して指定する階調と、当該ある画素ＰIXの周囲に存在する複数の画素ＰIXの各々に指定する階調とが大きく異なる場合には、当該ある画素ＰIXと、当該ある画素ＰIXの周囲に存在する複数の画素ＰIXとが大きく異なる階調を表示できるように、２つの重み付け係数ｗを定める。これにより、当該ある画素ＰIXが、表示データＶの指定する階調に近い階調を表示することが可能となる。
【００７７】
以下では、２つの重み付け係数ｗの決定方法の具体例を示す。
まず、表示制御回路１４２は、選択画素を含む所定個の画素の各々に対して表示データＶが指定する階調の平均（単純平均）を平均階調ＶAVEとして算出する。ここで、所定個の画素とは、選択画素、選択画素とｙ方向の負側に隣合うｐ個の画素ＰIX、および、選択画素とｙ方向の正側に隣合うｑ個の画素ＰIXからなる、合計(2+p+q)個の画素ＰIXである。
なお、ｐおよびｑは１以上の自然数であり、(2+p+q)≦Ｍとなるように適宜定めればよい。当然、ｐとｑとを等しい値としてもよい。
次に、表示制御回路１４２は、選択画素のうち一方の画素ＰIX（第１画素）に表示データＶが指定する階調（第１階調）と平均階調ＶAVEとの差分値ΔＶ1と、選択画素のうち他方の画素ＰIX（第２画素）に表示データＶが指定する階調（第２階調）と平均階調ＶAVEとの差分値ΔＶ2とを算出する。そして、差分値ΔＶ1の絶対値が差分値ΔＶ2の絶対値よりも大きな値となる場合、一方の画素ＰIX（第１画素）に対応する重み付け係数ｗを、他方の画素ＰIX（第２画素）に対応する重み付け係数ｗよりも大きな値に設定する。逆に、差分値ΔＶ2の絶対値が差分値ΔＶ1の絶対値よりも大きな値となる場合、他方の画素ＰIX（第２画素）に対応する重み付け係数ｗを、一方の画素ＰIX（第１画素）に対応する重み付け係数ｗよりも大きな値に設定する。
【００７８】
より具体的には、表示制御回路１４２は、各制御期間Ｔ（Ｔ1，Ｔ2）内の右眼用表示期間ＰRの単位期間Ｕ1のうち、第１組を構成する第(2k-1)行および第(2k)行の２本の走査線３２が選択される選択期間Ｈでは、まず、右眼用表示データＶRが、第(2k-1-p)行第ｎ列〜第(2k+q)行第ｎ列の(2+p+q)個の画素ＰIXの各々に対して指定する階調ＶR[2k-1-p][n]〜ＶR[2k+q][n]の平均値をＶAVEを算出する。次に、右眼用表示データＶRが第(2k-1)行第ｎ列の画素ＰIX（第１画素）に指定する階調ＶR[2k-1][n]と平均階調ＶAVEとの差分値ΔＶ1と、右眼用表示データＶRが第(2k)行第ｎ列の画素ＰIX（第２画素）に指定する階調ＶR[2k][n]とと平均階調ＶAVEとの差分値ΔＶ2とを算出する。そして、差分値ΔＶ1の絶対値が差分値ΔＶ2の絶対値よりも大きな値となる場合、上述した式（１）に現れる重み付け係数ｗ2k-1（第１重み付け係数）を、重み付け係数ｗ2k（第２重み付け係数）よりも大きな値に設定する。逆に、差分値ΔＶ2の絶対値が差分値ΔＶ1の絶対値よりも大きな値となる場合、重み付け係数ｗ2k（第２重み付け係数）を、重み付け係数ｗ2k-1（第１重み付け係数）よりも大きな値に設定する。
式（２）〜式（４）でも、式（１）と同様の方法で、重み付け係数ｗを定める。すなわち、表示制御回路１４２は、式（２）に現れる、第１重み付け係数ｗ2k+1および第２重み付け係数ｗ2kを、階調ＶR[2k+1][n]と平均階調ＶAVEとの差分値ΔＶ1の絶対値と、階調ＶR[2k][n]と平均階調ＶAVEとの差分値ΔＶ2の絶対値との大小関係に基づいて定める。また、式（３）に現れる、第１重み付け係数ｗ2k-1および第２重み付け係数ｗ2kを、階調ＶL[2k-1][n]と平均階調ＶAVEとの差分値ΔＶ1の絶対値と、階調ＶL[2k][n]と平均階調ＶAVEとの差分値ΔＶ2の絶対値との大小関係に基づいて定める。同様に、式（４）に現れる、第１重み付け係数ｗ2k+1および第２重み付け係数ｗ2kを、階調ＶL[2k+1][n]と平均階調ＶAVEとの差分値ΔＶ1の絶対値と、階調ＶL[2k][n]と平均階調ＶAVEとの差分値ΔＶ2の絶対値との大小関係に基づいて定める。
【００７９】
図１３および図１４は、変形例４に係る電気光学装置に供給される表示データＶ（例えば、右眼用表示データＶR）の指定する階調と、観察者が知覚する画像との関係について表した説明図である。この例では、加重平均の演算で用いる２つの重み付け係数ｗを、選択画素を含む６個の画素ＰIX（選択画素、選択画素とｙ方向の負側に隣合う２個の画素ＰIX、および、選択画素とｙ方向の正側に隣合う２個の画素ＰIX）に対して表示データＶが指定する階調に基づいて定める場合を想定する。
図１３は、図５と同様に、各画素ＰIXが指定される階調の大きさを、濃淡で表した説明図である。図１３（Ａ）に示すように、右眼用表示データＶRが指定する階調のうち、階調ＶR[3][6]、ＶR[4][5]、ＶR[5][4]、ＶR[6][3]が最大階調（図において白色）に設定され、それ以外が最小階調（図において黒色）に設定される。
このとき、図１３（Ｂ）に示すように、単位期間Ｕ1において、第４列に位置する画素ＰIXのうち、第５行および第６行に位置する２個の画素ＰIX（選択画素）には、階調ＶR[5][4]および階調ＶR[6][4]の加重平均として算出される階調ＧR[5][4]に応じた階調電位Ｘ[n]が供給される。階調ＶR[3][4]〜ＶR[6][4]の平均階調ＶAVEに対して、平均階調ＶAVEと階調ＶR[5][4]との差分値ΔＶ1は、平均階調ＶAVEと階調ＶR[6][4]との差分値ΔＶ2よりも大きい。従って、当該加重平均の演算では、階調ＶR[5][4]に対応する重み付け係数ｗ5が、階調ＶR[6][4]に対応する重み付け係数ｗ6よりも大きな値に設定される。その結果、階調ＧR[5][4]は、階調ＶR[6][4]よりも階調ＶR[5][4]に近い階調、すなわち、中間階調よりも大きい最大階調に近い階調に設定される。
同様に、図１３（Ｃ）に示すように、単位期間Ｕ2において、第４列に位置する画素ＰIXのうち、第４行および第５行に位置する２個の画素ＰIX（選択画素）には、中間階調よりも大きい最大階調に近い階調に設定された階調ＧR[5][4]に応じた階調電位Ｘ[n]が供給される。
図１４は、単位期間Ｕ2において観察者が知覚する画像、すなわち、単位期間Ｕ1で表示された画像と、単位期間Ｕ2で表示される画像とが混在した画像を示す図である。図９に示すように、観察者は、第３行第６列、第４行第５列、第５行第４列、および、第６行第３列、４個の画素ＰIXが、中間階調よりも大きい最大階調に近い階調を表すものとして知覚する。このように、変形例４によれば、表示データＶが示す画像に近い、鮮明な画像を観察者に知覚させることができる。
【００８０】
（５）変形例５  
上述した実施形態および変形例では、選択画素のうち一方の画素ＰIXに対して表示データＶが指定する階調と、他方の画素ＰIXに対して表示データＶが指定する階調とを平均（加重平均）して算出される階調に応じた階調電位Ｘ[n]を、当該選択画素の各々に対して共通に供給するものであったが、本発明はこのような態様に限定されるものではなく、選択画素のうち一方の画素ＰIXに対して表示データＶが指定する階調と、他方の画素ＰIXに対して表示データＶが指定する階調とを単純平均した値に対して、係数（階調制御係数ρ）を乗じて得られる階調に応じた階調電位Ｘ[n]を、選択画素の各々に対して共通に供給するものであってもよい。
例えば、選択画素のうち一方の画素ＰIXに対して表示データＶが指定する階調が所定の階調よりも大きい値であり、他方の画素ＰIXに対して表示データＶが指定する階調が所定の階調よりも小さい値であり、選択画素の周囲に存在する複数の画素ＰIXの各々に対して表示データＶが指定する階調が所定の階調よりも小さい値である場合には、階調制御係数ρを「１」よりも大きい値に設定する。そして、選択画素のうち一方の画素ＰIXに対して表示データＶが指定する階調と、他方の画素ＰIXに対して表示データＶが指定する階調とを平均（単純平均）した値に対して、階調制御係数ρを乗じて得られる階調に応じた階調電位Ｘ[n]を、選択画素の各々に対して共通に供給する。
逆に、選択画素のうち一方の画素ＰIXに対して表示データＶが指定する階調が所定の階調よりも小さい値であり、他方の画素ＰIXに対して表示データＶが指定する階調が所定の階調よりも大きい値であり、選択画素の周囲に存在する複数の画素ＰIXの各々に対して表示データＶが指定する階調が所定の階調よりも大きい値である場合には、階調制御係数ρを「０」よりも大きく、且つ、「１」よりも小さい値に設定する。そして、選択画素のうち一方の画素ＰIXに対して表示データＶが指定する階調と、他方の画素ＰIXに対して表示データＶが指定する階調とを平均した値に対して、階調制御係数ρを乗じて得られる階調に応じた階調電位Ｘ[n]を、選択画素の各々に対して共通に供給する。
【００８１】
以下では、階調制御係数ρの決定方法の具体例を示す。
まず、表示制御回路１４２は、選択画素を含み、同列に位置する(2+p+q)個の画素ＰIX（所定個の画素）の各々に対して表示データＶが指定する階調の平均（単純平均）を平均階調ＶAVEとして算出する。次に、選択画素のうち一方の画素ＰIX（第１画素）に表示データＶが指定する階調（第１階調）と平均階調ＶAVEとの差分値ΔＶ1と、選択画素のうち他方の画素ＰIX（第２画素）に表示データＶが指定する階調（第２階調）と平均階調ＶAVEとの差分値ΔＶ2とを算出する。
そして、差分値ΔＶ1の絶対値が差分値ΔＶ2の絶対値よりも大きい値となり、且つ、一方の画素ＰIX（第１画素）に表示データＶが指定する階調（第１階調）が平均階調ＶAVEよりも大きい値となる場合、表示制御回路１４２は、階調制御係数ρを「１」よりも大きい値に設定する。また、差分値ΔＶ2の絶対値が差分値ΔＶ1の絶対値よりも大きい値となり、且つ、他方の画素ＰIX（第２画素）に表示データＶが指定する階調（第２階調）が平均階調ＶAVEよりも大きい値となる場合、表示制御回路１４２は、階調制御係数ρを「１」よりも大きい値に設定する。そして、信号線駆動回路４４は、選択画素のうち一方の画素ＰIXに対して表示データＶが指定する階調と、他方の画素ＰIXに対して表示データＶが指定する階調とを平均した値に対して、階調制御係数ρを乗じて得られる階調に応じた階調電位Ｘ[n]を、選択画素の各々に対して共通に供給する。
逆に、差分値ΔＶ1の絶対値が差分値ΔＶ2の絶対値よりも大きい値となり、且つ、一方の画素ＰIX（第１画素）に表示データＶが指定する階調（第１階調）が平均階調ＶAVEよりも小さい値となる場合、表示制御回路１４２は、階調制御係数ρを「０」よりも大きく、且つ、「１」よりも小さい値に設定する。また、差分値ΔＶ2の絶対値が差分値ΔＶ1の絶対値よりも大きな値となり、且つ、他方の画素ＰIX（第２画素）に表示データＶが指定する階調（第２階調）が平均階調ＶAVEよりも小さい値となる場合、表示制御回路１４２は、階調制御係数ρを「０」よりも大きく、且つ、「１」よりも小さい値に設定する。そして、信号線駆動回路４４は、選択画素のうち一方の画素ＰIXに対して表示データＶが指定する階調と、他方の画素ＰIXに対して表示データＶが指定する階調とを平均した値に対して、階調制御係数ρを乗じて得られる階調に応じた階調電位Ｘ[n]を、選択画素の各々に対して共通に供給する。
このように、変形例５に係る電気光学装置１０は、選択画素の階調を、選択画素の階調と選択画素の周囲に存在する複数の画素ＰIXの階調との関係に基づいて制御する。これにより、表示データＶが示す本来の表示画像に近い鮮明な画像を表示することが可能となる。
【００８２】
（６）変形例６
電気光学素子は液晶素子ＣLに限定されない。例えば、電気泳動素子を電気光学素子として利用することも可能である。すなわち、電位光学素子は、電気的な作用（例えば電圧の印加）に応じて光学的な特性（例えば透過率）が変化する表示素子として包括される。
【００８３】
＜応用例＞
以上の各形態に例示した電気光学装置１０は、各種の電子機器に利用され得る。図１５から図１７には、電気光学装置１０を採用した電子機器の具体的な形態が例示されている。
【００８４】
図１５は、電気光学装置１０を適用した投射型表示装置（３板式のプロジェクター）４０００の模式図である。投射型表示装置４０００は、相異なる表示色（赤色，緑色，青色）に対応する３個の電気光学装置１０（１０R，１０G，１０B）を含んで構成される。照明光学系４００１は、照明装置（光源）４００２からの出射光のうち赤色成分ｒを電気光学装置１０Rに供給し、緑色成分ｇを電気光学装置１０Gに供給し、青色成分ｂを電気光学装置１０Bに供給する。各電気光学装置１０は、照明光学系４００１から供給される各単色光を表示画像に応じて変調する光変調器（ライトバルブ）として機能する。投射光学系４００３は、各電気光学装置１０からの出射光を合成して投射面４００４に投射する。観察者は、投射面４００４に投射された立体視画像を立体視用眼鏡２０（図１５では図示略）で視認する。
【００８５】
図１６は、電気光学装置１０を採用した可搬型のパーソナルコンピューターの斜視図である。パーソナルコンピューター２０００は、各種の画像を表示する電気光学装置１０と、電源スイッチ２００１やキーボード２００２が設置された本体部２０１０とを具備する。
【００８６】
図１７は、電気光学装置１０を適用した携帯電話機の斜視図である。携帯電話機３０００は、複数の操作ボタン３００１およびスクロールボタン３００２と、各種の画像を表示する電気光学装置１０とを備える。スクロールボタン３００２を操作することによって、電気光学装置１０に表示される画面がスクロールされる。
【００８７】
なお、本発明に係る電気光学装置が適用される電子機器としては、図１５から図１７に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【００８８】
１００…立体視表示装置、１０…電気光学装置、１２…電気光学パネル、１４…制御回路、１４２…表示制御回路、１４４…眼鏡制御回路、２０…立体視用眼鏡、２２…右眼用シャッター、２４…左眼用シャッター、３０…画素部、ＰIX…画素、ＣL…液晶素子、３２…走査線、３４…信号線、４０…駆動回路、４２…走査線駆動回路、４４…信号線駆動回路。
【図１】
2013114143.tif 000003
【図２】
2013114143.tif 000004
【図３】
2013114143.tif 000005
【図４】
2013114143.tif 000006
【図５】
2013114143.tif 000007
【図６】
2013114143.tif 000008
【図７】
2013114143.tif 000009
【図８】
2013114143.tif 000010
【図９】
2013114143.tif 000011
【図１０】
2013114143.tif 000012
【図１１】
2013114143.tif 000013
【図１２】
2013114143.tif 000014
【図１４】
2013114143.tif 000015
【図１５】
2013114143.tif 000016
【図１６】
2013114143.tif 000017
【図１７】
2013114143.tif 000018
【図１８】
2013114143.tif 000019
【図１３】
2013114143.tif 000020